(57)【要約】  下り信号の伝送方法及び端末デバイスによれば、端末デバイスによる複数の下り信号の受信が実現される。上記方法は、端末デバイスが第１の検出ウィンドウ内で少なくとも２つの下り信号を受信する必要があると決定するステップと、前記端末デバイスが前記少なくとも２つの下り信号の伝送情報に従って、前記少なくとも２つの下り信号の受信モードを決定するステップと、前記端末デバイスが前記少なくとも２つの下り信号の受信モードに従って、前記第１の検出ウィンドウ内で前記少なくとも２つの下り信号のうちの少なくとも１つの下り信号を受信するステップとを含み、前記伝送情報は、前記少なくとも２つの下り信号のスケジューリング情報、伝送構成、又は運ばれる情報のうちの少なくとも１つを含む。
2021531672.tif 000002
【特許請求の範囲】
【請求項１】
端末デバイスが第１の検出ウィンドウ内で少なくとも２つの下り信号を受信する必要があると決定するステップと、
前記端末デバイスが前記少なくとも２つの下り信号の伝送情報に従って、前記少なくとも２つの下り信号の受信モードを決定するステップと、
前記端末デバイスが前記少なくとも２つの下り信号の受信モードに従って、前記第１の検出ウィンドウ内で前記少なくとも２つの下り信号のうちの少なくとも１つの下り信号を受信するステップとを含み、
前記伝送情報は、前記少なくとも２つの下り信号のスケジューリング情報、伝送構成、又は運ばれる情報のうちの少なくとも１つを含む
ことを特徴とする下り信号の伝送方法。
【請求項２】
前記少なくとも２つの下り信号における異なる下り信号によって占有される物理リソースがオーバーラップし、及び/又は
前記少なくとも２つの下り信号における異なる下り信号の伝送構成インジケータ（ＴＣＩ）状態に含まれる参照信号が異なり、及び/又は
前記少なくとも２つの下り信号における異なる下り信号のＴＣＩ状態に含まれる準コロケーション（ＱＣＬ）タイプＤの参照信号が異なり、及び/又は
前記少なくとも２つの下り信号における異なる下り信号のＴＣＩ状態に含まれるＱＣＬタイプＤの参照信号がＱＣＬではない
ことを特徴とする請求項１に記載の方法。
【請求項３】
前記伝送情報は、前記少なくとも２つの下り信号のスケジューリング情報を含み、
前記端末デバイスが前記少なくとも２つの下り信号の伝送情報に従って、前記少なくとも２つの下り信号の受信モードを決定するステップは、
前記端末デバイスが、前記少なくとも２つの下り信号をスケジューリングするＤＣＩの受信順序に従って、前記少なくとも２つの下り信号の受信モードを決定するステップと、
前記端末デバイスが、前記少なくとも２つの下り信号をスケジューリングするＤＣＩのＤＣＩフォーマットに従って、前記少なくとも２つの下り信号の受信モードを決定するステップと、
前記端末デバイスが、前記少なくとも２つの下り信号をスケジューリングするＤＣＩの巡回冗長チェックコード（ＣＲＣ）スクランブリングモードに従って、前記少なくとも２つの下り信号の受信モードを決定するステップと、
前記端末デバイスが、前記少なくとも２つの下り信号をスケジューリングするＤＣＩが位置するサーチスペース又は制御リソースセットに従って、前記少なくとも２つの下り信号の受信モードを決定するステップと、
前記端末デバイスが、前記少なくとも２つの下り信号のそれぞれの下り信号をスケジューリングするＤＣＩとスケジュールされた下り信号との間の時間間隔に従って、前記少なくとも２つの下り信号のそれぞれの下り信号の受信モードを決定するステップとのうちの少なくとも一つのステップを含む
ことを特徴とする請求項１に記載の方法。
【請求項４】
前記端末デバイスが、前記少なくとも２つの下り信号のそれぞれの下り信号をスケジューリングするＤＣＩとスケジュールされた下り信号との間の時間間隔に従って、前記少なくとも２つの下り信号のそれぞれの下り信号の受信モードを決定するステップは、
前記端末デバイスが、前記少なくとも２つの下り信号のそれぞれをスケジューリングするＤＣＩとスケジュールされた下り信号との間の時間間隔が、事前に設定された第１の時間閾値よりも大きいかどうかに応じて、前記少なくとも２つの下り信号のそれぞれの受信モードを決定するステップを含む
ことを特徴とする請求項３に記載の方法。
【請求項５】
前記伝送情報には、前記少なくとも２つの下り信号の伝送構成が含まれ、
前記端末デバイスが前記少なくとも２つの下り信号の伝送情報に従って、前記少なくとも２つの下り信号の受信モードを決定するステップは、
前記端末デバイスが、前記少なくとも２つの下り信号のＴＣＩ状態にＱＣＬタイプＤの参照信号が含まれているかどうかに応じて、前記少なくとも２つの下り信号の受信モードを決定するステップと、
前記端末デバイスが、前記少なくとも２つの下り信号のＴＣＩ状態に含まれる参照信号のタイプに従って、前記少なくとも２つの下り信号の受信モードを決定するステップと、
前記端末デバイスが、前記少なくとも２つの下り信号のＴＣＩ状態に含まれるＱＣＬタイプＤの参照信号のタイプに従って、前記少なくとも２つの下り信号の受信モードを決定するステップと、
前記端末デバイスが、前記少なくとも２つの下り信号のマッピングタイプに従って、前記少なくとも２つの下り信号の受信モードを決定するステップと、
前記端末デバイスが、前記少なくとも２つの下り信号の持続時間長に従って、前記少なくとも２つの下り信号の受信モードを決定するステップとのうちの少なくとも一つのステップを含む
ことを特徴とする請求項１に記載の方法。
【請求項６】
前記伝送情報には、前記少なくとも２つの下り信号によって運ばれる情報が含まれ、
前記端末デバイスが前記少なくとも２つの下り信号の伝送情報に従って、前記少なくとも２つの下り信号の受信モードを決定するステップは、
前記端末デバイスが、前記少なくとも２つの下り信号がシステム情報を運ぶかどうかに応じて、前記少なくとも２つの下り信号の受信モードを決定するステップと、
前記端末デバイスが、前記少なくとも２つの下り信号が上位レイヤシグナリングを運ぶかどうかに従って、前記少なくとも２つの下り信号の受信モードを決定するステップとのうちの少なくとも一つのステップを含む
ことを特徴とする請求項１に記載の方法。
【請求項７】
前記端末デバイスが前記少なくとも２つの下り信号の伝送情報に従って、前記少なくとも２つの下り信号の受信モードを決定するステップは、
前記端末デバイスが、前記少なくとも２つの下り信号の伝送情報に従って、前記少なくとも２つの下り信号のうちの少なくとも１つの下り信号を受信するかどうかを決定するステップと、
前記端末デバイスが、前記少なくとも２つの下り信号の伝送情報に従って、前記少なくとも２つの下り信号のうちの少なくとも１つの下り信号を受信するために使用される伝送構成を決定するステップとのうちの少なくとも一つのステップを含む
ことを特徴とする請求項１に記載の方法。
【請求項８】
前記端末デバイスが前記少なくとも２つの下り信号の伝送情報に従って、前記少なくとも２つの下り信号の受信モードを決定するステップは、
前記端末デバイスが前記少なくとも２つの下り信号の伝送情報に従って、前記少なくとも２つの下り信号のそれぞれの下り信号の優先度を決定するステップと、
前記端末デバイスが前記それぞれの下り信号の優先度に従って、前記少なくとも２つの下り信号の受信モードを決定するステップとを含む
ことを特徴とする請求項１から７のいずれか一項に記載の方法。
【請求項９】
前記それぞれの下り信号の優先度に従って、前記少なくとも２つの下り信号の受信モードを決定するステップは、
前記端末デバイスが優先度の高い下り信号を受信し、優先度の低い下り信号を受信しないと決定するステップと、
前記端末デバイスが優先度の高い下り信号の伝送構成を採用して前記少なくとも２つの下り信号を受信すると決定するステップとのうちの少なくとも一つのステップを含む
ことを特徴とする請求項８に記載の方法。
【請求項１０】
前記端末デバイスが前記少なくとも２つの下り信号の伝送情報に従って、前記少なくとも２つの下り信号の受信モードを決定するステップは、
前記端末デバイスが、前記端末デバイスのアンテナアレイの数及び前記少なくとも２つの下り信号の伝送情報に従って、前記少なくとも２つの下り信号の受信モードを決定するステップを含む
ことを特徴とする請求項１から７のいずれか一項に記載の方法。
【請求項１１】
前記端末デバイスが、前記端末デバイスのアンテナアレイの数及び前記少なくとも２つの下り信号の伝送情報に従って、前記少なくとも２つの下り信号の受信モードを決定するステップは、
前記アンテナアレイの数Ｋが前記少なくとも２つの下り信号の数Ｎより小さい場合、前記端末デバイスが前記Ｎ個の下り信号の伝送情報に従って、前記Ｎ個の下り信号から最も優先度の高いＫ個の下り信号を選択し、前記Ｋ個の下り信号の伝送構成を使用してそれぞれ前記Ｋ個の下り信号を受信すると決定するステップを含む
ことを特徴とする請求項１０に記載の方法。
【請求項１２】
前記端末デバイスが、前記端末デバイスのアンテナアレイの数及び前記少なくとも２つの下り信号の伝送情報に従って、前記少なくとも２つの下り信号の受信モードを決定するステップは、
前記アンテナアレイの数Ｋが前記少なくとも２つの下り信号の数Ｎ以上である場合、前記端末デバイスが前記Ｎ個の下り信号の伝送構成を採用してそれぞれ前記Ｎ個の下り信号を受信すると決定するステップを含む
ことを特徴とする請求項１０又は１１に記載の方法。
【請求項１３】
前記伝送構成は、
対応する下り信号を受信するために使用される受信ビームと、
対応する下り信号を受信するために使用される準コロケーション（ＱＣＬ）タイプＤの参照信号と、
対応する下り信号を受信するために使用されるＴＣＩ状態と、
対応する下り信号を受信するために想定されるマッピングタイプと、
対応する下り信号を受信するために使用される時間ウィンドウとのうちの少なくとも一つを含む
ことを特徴とする請求項１から１２のいずれか一項に記載の方法。
【請求項１４】
前記下り信号は、物理下り共有チャネル（ＰＤＳＣＨ）、物理下り制御チャネル（ＰＤＣＣＨ）、又はチャネル状態情報参照信号（ＣＳＩ−ＲＳ）を含む
ことを特徴とする請求項１から１２のいずれか一項に記載の方法。
【請求項１５】
前記少なくとも２つの下り信号のそれぞれが、独立した下り制御情報（ＤＣＩ）によってスケジュールされる
ことを特徴とする請求項１から１２のいずれか一項に記載の方法。
【請求項１６】
前記第１の検出ウィンドウは、
一つのスロット、又は
少なくとも２つのスロット、又は
一つの直交周波数分割多重（ＯＦＤＭ）シンボル、又は
少なくとも２つのＯＦＤＭシンボルを含む
ことを特徴とする請求項１から１２のいずれか一項に記載の方法。
【請求項１７】
第１の検出ウィンドウ内で少なくとも２つの下り信号を受信する必要があると決定するように構成される受信スケジューリング決定ユニットと、
前記少なくとも２つの下り信号の伝送情報に従って、前記少なくとも２つの下り信号の受信モードを決定するように構成される受信モード決定ユニットと、
前記少なくとも２つの下り信号の受信モードに従って、前記第１の検出ウィンドウ内で前記少なくとも２つの下り信号のうちの少なくとも１つの下り信号を受信するように構成される下り信号受信ユニットとを備え、
前記伝送情報は、前記少なくとも２つの下り信号のスケジューリング情報、伝送構成、又は運ばれる情報のうちの少なくとも１つを含む
ことを特徴とする端末デバイス。
【請求項１８】
前記少なくとも２つの下り信号における異なる下り信号によって占有される物理リソースがオーバーラップし、及び/又は
前記少なくとも２つの下り信号における異なる下り信号の伝送構成インジケータ（ＴＣＩ）状態に含まれる参照信号が異なり、及び/又は
前記少なくとも２つの下り信号における異なる下り信号のＴＣＩ状態に含まれる準コロケーション（ＱＣＬ）タイプＤの参照信号が異なり、及び/又は
前記少なくとも２つの下り信号における異なる下り信号のＴＣＩ状態に含まれるＱＣＬタイプＤの参照信号がＱＣＬではない
ことを特徴とする請求項１７に記載の端末デバイス。
【請求項１９】
前記受信モード決定ユニットは、
前記少なくとも２つの下り信号の伝送情報に従って、前記少なくとも２つの下り信号のうちの少なくとも１つの下り信号を受信するかどうかを決定し、及び/又は
前記少なくとも２つの下り信号の伝送情報に従って、前記少なくとも２つの下り信号のうちの少なくとも１つの下り信号を受信するために使用される伝送構成を決定するように構成される
ことを特徴とする請求項１７に記載の端末デバイス。
【請求項２０】
前記伝送情報は、前記少なくとも２つの下り信号のスケジューリング情報を含み、
前記受信モード決定ユニットは、
前記少なくとも２つの下り信号をスケジューリングするＤＣＩの受信順序に従って、前記少なくとも２つの下り信号の受信モードを決定し、及び/又は
前記少なくとも２つの下り信号をスケジューリングするＤＣＩのＤＣＩフォーマットに従って、前記少なくとも２つの下り信号の受信モードを決定し、及び/又は
前記少なくとも２つの下り信号をスケジューリングするＤＣＩの巡回冗長チェックコード（ＣＲＣ）スクランブリングモードに従って、前記少なくとも２つの下り信号の受信モードを決定し、及び/又は
前記少なくとも２つの下り信号をスケジューリングするＤＣＩが位置するサーチスペース又は制御リソースセットに従って、前記少なくとも２つの下り信号の受信モードを決定し、及び/又は
前記少なくとも２つの下り信号のそれぞれの下り信号をスケジューリングするＤＣＩとスケジュールされた下り信号との間の時間間隔に従って、前記少なくとも２つの下り信号のそれぞれの下り信号の受信モードを決定するように構成される
ことを特徴とする請求項１７に記載の端末デバイス。
【請求項２１】
前記受信モード決定ユニットは、
前記少なくとも２つの下り信号のそれぞれをスケジューリングするＤＣＩとスケジュールされた下り信号との間の時間間隔が、事前に設定された第１の時間閾値よりも大きいかどうかに応じて、前記少なくとも２つの下り信号のそれぞれの受信モードを決定するように構成される
ことを特徴とする請求項２０に記載の端末デバイス。
【請求項２２】
前記伝送情報には、前記少なくとも２つの下り信号の伝送構成が含まれ、
前記受信モード決定ユニットは、
前記少なくとも２つの下り信号のＴＣＩ状態にＱＣＬタイプＤの参照信号が含まれているかどうかに応じて、前記少なくとも２つの下り信号の受信モードを決定し、及び/又は
前記少なくとも２つの下り信号のＴＣＩ状態に含まれる参照信号のタイプに従って、前記少なくとも２つの下り信号の受信モードを決定し、及び/又は
前記少なくとも２つの下り信号のＴＣＩ状態に含まれるＱＣＬタイプＤの参照信号のタイプに従って、前記少なくとも２つの下り信号の受信モードを決定し、及び/又は
前記少なくとも２つの下り信号のマッピングタイプに従って、前記少なくとも２つの下り信号の受信モードを決定し、及び/又は
前記少なくとも２つの下り信号の持続時間長に従って、前記少なくとも２つの下り信号の受信モードを決定するように構成される
ことを特徴とする請求項１７に記載の端末デバイス。
【請求項２３】
前記伝送情報には、前記少なくとも２つの下り信号によって運ばれる情報が含まれ、
前記受信モード決定ユニットは、
前記少なくとも２つの下り信号がシステム情報を運ぶかどうかに応じて、前記少なくとも２つの下り信号の受信モードを決定し、及び/又は
前記少なくとも２つの下り信号が上位レイヤシグナリングを運ぶかどうかに従って、前記少なくとも２つの下り信号の受信モードを決定するように構成される
ことを特徴とする請求項１７に記載の端末デバイス。
【請求項２４】
前記受信モード決定ユニットは、
前記端末デバイスが前記少なくとも２つの下り信号の伝送情報に従って、前記少なくとも２つの下り信号のそれぞれの下り信号の優先度を決定し、
前記それぞれの下り信号の優先度に従って、前記少なくとも２つの下り信号の受信モードを決定するように構成される
ことを特徴とする請求項１７から２３のいずれか一項に記載の端末デバイス。
【請求項２５】
前記受信モード決定ユニットは、
優先度の高い下り信号を受信し、優先度の低い下り信号を受信しないと決定し、及び/又は
優先度の高い下り信号の伝送構成を採用して前記少なくとも２つの下り信号を受信すると決定するように構成される
ことを特徴とする請求項２４に記載の端末デバイス。
【請求項２６】
前記受信モード決定ユニットは、
前記端末デバイスのアンテナアレイの数及び前記少なくとも２つの下り信号の伝送情報に従って、前記少なくとも２つの下り信号の受信モードを決定するように構成される
ことを特徴とする請求項１７から２３のいずれか一項に記載の端末デバイス。
【請求項２７】
前記受信モード決定ユニットは、
前記アンテナアレイの数Ｋが前記少なくとも２つの下り信号の数Ｎより小さい場合、前記端末デバイスが前記Ｎ個の下り信号の伝送情報に従って、前記Ｎ個の下り信号から最も優先度の高いＫ個の下り信号を選択し、前記Ｋ個の下り信号の伝送構成を使用してそれぞれ前記Ｋ個の下り信号を受信すると決定するように構成される
ことを特徴とする請求項２６に記載の端末デバイス。
【請求項２８】
前記受信モード決定ユニットは、
前記アンテナアレイの数Ｋが前記少なくとも２つの下り信号の数Ｎ以上である場合、前記端末デバイスが前記Ｎ個の下り信号の伝送構成を採用してそれぞれ前記Ｎ個の下り信号を受信すると決定するように構成される
ことを特徴とする請求項２６又は２７に記載の端末デバイス。
【請求項２９】
前記伝送構成は、
対応する下り信号を受信するために使用される受信ビームと、
対応する下り信号を受信するために使用される準コロケーション（ＱＣＬ）タイプＤの参照信号と、
対応する下り信号を受信するために使用されるＴＣＩ状態と、
対応する下り信号を受信するために想定されるマッピングタイプと、
対応する下り信号を受信するために使用される時間ウィンドウとのうちの少なくとも一つを含む
ことを特徴とする請求項１７から２３のいずれか一項に記載の端末デバイス。
【請求項３０】
前記下り信号は、物理下り共有チャネル（ＰＤＳＣＨ）、物理下り制御チャネル（ＰＤＣＣＨ）、又はチャネル状態情報参照信号（ＣＳＩ−ＲＳ）を含む
ことを特徴とする請求項１７から２３のいずれか一項に記載の端末デバイス。
【請求項３１】
前記少なくとも２つの下り信号のそれぞれが、独立した下り制御情報（ＤＣＩ）によってスケジュールされる
ことを特徴とする請求項１７から２３のいずれか一項に記載の端末デバイス。
【請求項３２】
前記第１の検出ウィンドウは、
一つのスロット、又は
少なくとも２つのスロット、又は
一つの直交周波数分割多重（ＯＦＤＭ）シンボル、又は
少なくとも２つのＯＦＤＭシンボルを含む
ことを特徴とする請求項１７から２３のいずれか一項に記載の端末デバイス。
【請求項３３】
プロセッサ及びメモリを備え、前記メモリはコンピュータプログラムを格納し、前記プロセッサは、前記メモリに格納されたコンピュータプログラムを呼び出して実行することで、請求項１から１６のいずれか１つに記載の方法を実行する、ことを特徴とする端末デバイス。
【請求項３４】
メモリからコンピュータプログラムを呼び出して実行することで、請求項１から１６のいずれか１つに記載の方法をチップがインストールされたデバイスに実行させるプロセッサを備える、ことを特徴とするチップ。
【請求項３５】
請求項１から１６のいずれか一項に記載の方法をコンピュータに実行させるコンピュータプログラムを記憶する、ことを特徴とするコンピュータ読み取り可能な記憶媒体。
【請求項３６】
請求項１から１６のいずれか一項に記載の方法をコンピュータに実行させるコンピュータプログラム命令を含む、ことを特徴とするコンピュータプログラム製品。
【請求項３７】
請求項１から１６のいずれか一項に記載の方法をコンピュータに実行させる、ことを特徴とするコンピュータプログラム。
【発明の詳細な説明】
【技術分野】
【０００１】
本願の実施例は、通信技術分野に関し、具体的に、下り信号の伝送方法及び端末デバイスに関する。
【背景技術】
【０００２】
新しい無線（New Radio，NR）システムでは、下り伝送のスループットを向上させるために、複数の伝送ポイント（Transmission/Reception Point，TRP）を展開して、端末デバイスに対して個別にスケジュールし、下りデータを伝送することができる。端末デバイスは、１スロット、１シンボル、又は複数のシンボルなどの一つの時間ユニットで複数の下り制御情報（Downlink Control Information，DCI）を同時に検出する必要があり、各ＤＣＩは、独立した物理下り共有チャネル（Physical Downlink Shared Channel，PDSCH）に対応して、対応するＰＤＳＣＨをそれぞれ検出する。
【０００３】
異なるＤＣＩによってスケジューリングされたＰＤＳＣＨは、例えば、１スロット又は１直交周波数分割多重（Orthogonal Frequency Division Multiplexing，OFDM）シンボルなどの同じ検出ウィンドウで伝送できる。各ＰＤＳＣＨはそれぞれ対応する受信ビームがあるため、これらのＰＤＳＣＨの受信ビームが異なる場合、端末デバイスはこれらのＰＤＳＣＨを受信するために異なる受信ビームを使用する必要がある。
【０００４】
ただし、例えば、端末デバイスにアンテナアレイが1つしかない場合など、端末デバイスは、同じ検出ウィンドウ内でＰＤＳＣＨを受信するために1つの受信ビームのみを使用する場合がある。従って、端末デバイスで複数のＰＤＳＣＨを受信する方法は、早急に解決する必要のある問題である。同様に、物理下り共有チャネル（Physical Downlink Shared Channel，PDSCH）、チャネル状態情報参照信号（Channel State Information Reference Signal，CSI-RS）などの他の下り信号にも同様の問題がある。
【発明の概要】
【０００５】
本願の実施例は、端末デバイスによる複数の下り信号の受信を実現することができる下り信号の伝送方法及び端末デバイスを提供する。
【０００６】
第１の態様は、端末デバイスが第１の検出ウィンドウ内で少なくとも２つの下り信号を受信する必要があると決定するステップと、前記端末デバイスが前記少なくとも２つの下り信号の伝送情報に従って、前記少なくとも２つの下り信号の受信モードを決定するステップと、前記端末デバイスが前記少なくとも２つの下り信号の受信モードに従って、前記第１の検出ウィンドウ内で前記少なくとも２つの下り信号のうちの少なくとも１つの下り信号を受信するステップとを含み、前記伝送情報は、前記少なくとも２つの下り信号のスケジューリング情報、伝送構成、又は運ばれる情報のうちの少なくとも１つを含む下り信号の伝送方法が提供される。
【０００７】
第２の態様は、端末デバイスを提供し、上記第１の態様又はその各実現形態における方法を実行する。
【０００８】
具体的に、上記端末デバイスは、上記第１の態様又はその各実現形態における方法を実行するための機能モジュールを備える。
【０００９】
第３の態様は、端末デバイスを提供し、プロセッサ及びメモリを備える。前記メモリはコンピュータプログラムを格納し、前記プロセッサは、前記メモリに格納されたコンピュータプログラムを呼び出して実行することで、上記第１の態様又はその各実現形態における方法を実行する。
【００１０】
第４の態様は、チップを提供し、上記第１の態様又はその各実現形態における方法を実現する。
【００１１】
具体的に、前記チップは、メモリからコンピュータプログラムを呼び出して実行することで、上記第１の態様又はその各実現形態における方法を前記チップがインストールされたデバイスに実行させるプロセッサを備える。
【００１２】
第５の態様は、コンピュータ読み取り可能な記憶媒体を提供し、上記第１の態様又はその各実現形態における方法をコンピュータに実行させるコンピュータプログラムを記憶する。
【００１３】
第６の態様は、コンピュータプログラム製品を提供し、上記第１の態様又はその各実現形態における方法をコンピュータに実行させるコンピュータプログラム命令を含む。
【００１４】
第７の態様は、コンピュータプログラムを提供し、上記第１の態様又はその各実現形態における方法をコンピュータに実行させる。
【００１５】
上記解決策を通じて、端末デバイスは、第１の検出ウィンドウ内で少なくとも２つの下り信号を受信する必要があると判断し、次に、前記少なくとも２つの下り信号の伝送情報に従って、前記少なくとも２つの下り信号の受信モードを決定することで、前記端末デバイスは、前記少なくとも２つの下り信号の受信モードに従って、前記第１の検出ウィンドウ内で前記少なくとも２つの下り信号のうちの少なくとも１つの下り信号を受信することができ、それによって端末デバイスによる複数の下り信号の受信が実現される。
【図面の簡単な説明】
【００１６】
本発明の実施例における技術的解決策をより明確に説明するために、以下は、実施例又は先行技術の説明に必要な図面を簡単に紹介する。明らかに、以下の説明の図面は、本発明のいくつかの実施例であり、当業者は、創造的な努力なしに、これらの図面から他の図面を導き出すこともできる。
【図１】本願の実施例によって提供される通信システムアーキテクチャの概略図である。
【図２】本願の実施例によって提供される下り信号の伝送方法の概略図である。
【図３】本願の実施例によって提供される端末デバイスの概略ブロック図である。
【図４】本願の実施例によって提供される端末デバイスの概略ブロック図である。
【図５】本願の実施例によって提供されるチップの概略ブロック図である。
【発明を実施するための形態】
【００１７】
以下、本願の実施例における解決策を、本願の実施例における図面と併せて説明するが、説明される実施例は、すべての実施例ではなく、本願の実施例の一部であることは明らかである。本願の実施例に基づいて、創造的な作業なしに当業者によって得られる他のすべての実施例は、いずれも本願の保護範囲内にある。
【００１８】
本願の実施例の解決策は、例えばグローバルモバイル通信（Global System of Mobile communication，GSM）システム、符号分割多元接続（Code Division Multiple Access，CDMA）システム、広帯域符号分割多元接続（Wideband Code Division Multiple Access，WCDMA）システム、汎用パケット無線サービス（General Packet Radio Service，GPRS）、ロングタームエボリューション（Long Term Evolution，LTE）システム、ＬＴＥ周波数分割複信（Frequency Division Duplex，FDD）システム、ＬＴＥ時分割複信（Time Division Duplex，TDD）、ユニバーサル移動通信システム（Universal Mobile Telecommunication System，UMTS）、マイクロ波アクセス用世界的相互運用性（Worldwide Interoperability for Microwave Access，WiMAX）通信システム又は５Ｇシステム等の様々な通信システムに適用することができる。
【００１９】
例示的に、本願の実施例で適用される通信システム１００が図１に示されている。 この通信システム１００は、ネットワークデバイス１１０を含むことができ、ネットワークデバイス１１０は、端末デバイス１２０（又は通信端末デバイス、端末デバイスと呼ばれる）と通信するデバイスであってもよい。ネットワークデバイス１１０は、特定の地理的領域に通信カバレッジを提供することができ、このカバレッジ領域内の端末デバイスと通信することができる。選択的に、このネットワークデバイス１１０は、ＧＳＭシステム又はＣＤＭＡシステムにおける基地局（Base Transceiver Station，BTS）であってもよく、ＷＣＤＭＡシステムにおける基地局（NodeB，NB）であってもよく、また、ＬＴＥシステムにおける進化型基地局（Evolutional Node B，eNB又はeNodeB）、又はクラウド無線アクセスネットワーク（Cloud Radio Access Network，CRAN）における無線コントローラであってもよく、又はこのネットワークデバイスは、モバイル交換センター、中継局、アクセスポイント、車載デバイス、ウェアラブルデバイス、ハブ、スイッチ、ブリッジ、ルーター、５Ｇネットワークにおけるネットワーク側デバイス、又は未来進化の公衆地上移動ネットワーク（Public Land Mobile Network，PLMN）におけるネットワークデバイス等であってもよい。
【００２０】
この通信システム１００は、ネットワークデバイス１１０のカバレッジ内の少なくとも１つの端末デバイス１２０をさらに含む。ここで使用される「端末デバイス」として、公衆電話交換網（Public Switched Telephone Networks，PSTN）、デジタル加入者線（Digital Subscriber Line，DSL）、デジタルケーブル、直接ケーブル接続などの有線回線を介して接続されたデバイスが含まれるが、これに限定されず、及び/又は別のデータ接続/ネットワーク、及び/又はセルラーネットワーク、無線ローカルエリアネットワーク（Wireless Local Area Network，WLAN）、ＤＶＢ−ＨネットワークなどのデジタルＴＶネットワーク、衛星ネットワーク、ＡＭ−ＦＭ放送送信機などの無線インターフェイスを介して接続されたデバイス、及び/又は通信信号を受信/送信するように設定された別の端末デバイスの装置、及び/又はモノのインターネット（Internet of Things，IoT）デバイスも含まれる。無線インターフェースを介して通信するように設定された端末デバイスは、「無線通信端末デバイス」、「無線端末デバイス」又は「モバイル端末デバイス」と呼ばれてもよい。モバイル端末デバイスの例としては、衛星又は携帯電話、携帯電話が含まれるが、これらに限定されず、セルラー無線電話にデータ処理、ファクシミリ、及びデータ通信機能を組み込むことができるパーソナル通信システム（Personal Communications System，PCS）端末；無線電話、ポケットベル、インターネット/イントラネットアクセス、Ｗｅｂブラウザー、メモ帳、カレンダー、及び/又は全地球測位システム（Global Positioning System，GPS）受信機を含むことができるＰＤＡ；及び従来のラップトップ及び/又はパームトップ受信機、又は無線電話トランシーバーを含む他の電子デバイスが含まれる。端末デバイスは、アクセス端末デバイス、ユーザーデバイス（User Equipment，UE）、ユーザーユニット、ユーザーステーション、モバイルステーション、移動局、リモートステーション、リモート端末デバイス、モバイルデバイス、ユーザー端末デバイス、端末デバイス、無線通信デバイス、ユーザーエージェント、又はユーザー装置を指すことができる。アクセス端末デバイスは、携帯電話、コードレス電話、セッション開始プロトコル（Session Initiation Protocol，SIP）電話、ワイヤレスローカルループ（Wireless Local Loop，WLL）ステーション、パーソナルデジタルアシスタント（Personal Digital Assistant，PDA）、無線通信を備えたハンドヘルドデバイス、コンピューティングデバイス又は無線モデムに接続された他の処理デバイス、車載デバイス、ウェアラブルデバイス、５Ｇネットワークにおける端末デバイス、又は将来進化のＰＬＭＮにおける端末デバイスなどであってよい。
【００２１】
選択的に、端末デバイス１２０間で端末デバイス直接接続（Device to Device，D2D）通信が実行されてもよい。
【００２２】
選択的に、５Ｇシステム又は５Ｇネットワークは、新しい無線（New Radio，NR）システム又はＮＲネットワークと呼ばれてもよい。
【００２３】
図１には、１つのネットワークデバイス及び２つの端末デバイスが例示的に示され、選択的に、この通信システム１００は、複数のネットワークデバイスを含んでもよく、各ネットワークデバイスは、カバレッジ内に他の数の端末デバイスを含んでもよく、本願の実施例はこれを限定しない。
【００２４】
選択的に、この通信システム１００は、ネットワークコントローラ、モビリティ管理エンティティ等の他のネットワークエンティティをさらに含んでもよく、本願の実施例はこれを限定しない。
【００２５】
本願の実施例におけるネットワーク／システムで通信機能を有するデバイスは、通信デバイスと呼ばれてよいことを理解されたい。図１に示す通信システム１００を例として、通信デバイスは、通信機能を有するネットワークデバイス１１０と端末デバイス１２０とを含み得る。ネットワークデバイス１１０及び端末デバイス１２０は、前記の特定のデバイスであってもよく、ここでは繰り返さない。通信デバイスは、ネットワークコントローラ、モビリティ管理エンティティなどの他のネットワークエンティティなど、通信システム１００内の他のデバイスをさらに含んでもよく、本願の実施例はこれを限定しない。
【００２６】
本明細書で、「システム」と「ネットワーク」という用語はしばしば互換的に使用されることを理解されたい。本明細書で使用される「及び／又は」という用語は、関連対象の関連関係を説明するだけであり、３種類の関係があり得ることを示す。例えば、Ａ及び/又はＢは、Ａが単独で存在する、ＡとＢが同時に存在する、Ｂが単独で存在する３つのケースを示すことができる。また、本明細書で使用される「/」の表記は、一般的に、この表記の前後の関連対象が「又は」の関係にあることを示す。
【００２７】
図２は、本願の実施例によって提供される下り信号の伝送方法２００の概略図である。
【００２８】
２１０において、端末デバイスは、第１の検出ウィンドウ内で少なくとも２つの下り信号を受信する必要があると判断する。
【００２９】
２２０において、前記端末デバイスは、前記少なくとも２つの下り信号の伝送情報に従って、前記少なくとも２つの下り信号の受信モードを決定する。ここで、前記伝送情報は、前記少なくとも２つの下り信号のスケジューリング情報、伝送構成、又は運ばれる情報の少なくとも1つを含む。
【００３０】
２３０において、前記端末デバイスは、前記少なくとも２つの下り信号の受信モードに従って、前記第１の検出ウィンドウ内で前記少なくとも２つの下り信号のうちの少なくとも１つの下り信号を受信する。
【００３１】
なお、本発明に関する前記下り信号は、物理下り共有チャネル（Physical Downlink Shared Channel，PDSCH）、物理下り制御チャネル（Physical Downlink Control Channel，PDCCH）、又はチャネル状態情報参照信号（Channel State Information Reference Signal，CSI-RS）を含み得るが、これらに限定されず、本実施例はこれを特に限定しない。
【００３２】
選択的に、本実施例の一可能な実現形態において、前記伝送構成は、以下を含み得るが、これらに限定されない：
対応する下り信号を受信するために使用される受信ビーム、及び/又は
対応する下り信号を受信するために使用される準コロケーション（Quasi-Co-Located，QCL）タイプＤ（type D）の参照信号、及び/又は
対応する下り信号を受信するために使用される伝送構成インジケータ（Transmission Configuration Indicator，TCI）状態、及び/又は
対応する下り信号を受信するために想定されるマッピングタイプ、及び/又は
対応する下り信号を受信するために使用される時間ウィンドウ。
【００３３】
選択的に、本実施例の一可能な実現形態において、前記少なくとも２つの下り信号のそれぞれは、独立した下り制御情報（Downlink Control Information，DCI）によってスケジュールされ得る。非周期的ＣＳＩ−ＲＳの場合、独立したＤＣＩによってトリガーされ得る。
【００３４】
具体的には、前記独立したＤＣＩは、異なる時間に受信されたＤＣＩであってよく、或いは、異なるＤＣＩフォーマットを使用するＤＣＩであってよいが、本実施例はこれを特に限定しない。
【００３５】
選択的に、本実施例の一可能な実現形態において、前記少なくとも２つの下り信号における異なる下り信号によって占有される物理リソースがオーバーラップし、従って、これらのＰＤＳＣＨは、第１の検出ウィンドウで同時に端末デバイスによって受信され得ない。
【００３６】
選択的に、本実施例の一可能な実現形態において、前記少なくとも２つの下り信号における異なる下り信号は、異なる伝送構成を有する。従って、端末デバイスは、第１の検出ウィンドウにおいて１つの伝送構成のみを使用でき、各ＰＤＳＣＨのそれぞれの伝送構成を使用して各ＰＤＳＣＨを受信することはできない。
【００３７】
例えば、前記少なくとも２つの下り信号における異なる下り信号の伝送構成インジケータ（Transmission Configuration Indicator，TCI）状態に含まれる参照信号が異なる。
【００３８】
或いは、別の例として、前記少なくとも２つの下り信号における異なる下り信号のＴＣＩ状態に含まれる準コロケーション（Quasi-Co-Located，QCL）タイプＤ（type D）の参照信号が異なる。
【００３９】
或いは、別の例として、前記少なくとも２つの下り信号における異なる下り信号のＴＣＩ状態に含まれるＱＣＬタイプＤの参照信号はＱＣＬではない。
【００４０】
選択的に、本実施例の一可能な実現形態において、前記第１の検出ウィンドウは、以下の時間ユニットを含み得るが、これらに限定されない：
一つのスロット、又は
少なくとも２つのスロット、又は
一つの直交周波数分割多重（Orthogonal Frequency Division Multiplexing，OFDM）シンボル、又は
少なくとも２つのＯＦＤＭシンボル。
【００４１】
例えば、下り信号の例としてＰＤＳＣＨを取り上げると、第１の検出ウィンドウは１スロットであり得る。端末デバイスが1スロットに複数のＰＤＳＣＨがスケジュールされ、かつ複数のＰＤＳＣＨが占める物理リソースがオーバーラップする場合、端末デバイスは複数のＰＤＳＣＨを同時に復調できない可能性があり、受信の優先順位を明確にする必要がある。端末デバイスが1スロットに複数のＰＤＳＣＨがスケジュールされ、かつ複数のＰＤＳＣＨのＱＣＬタイプＤの参照信号が異なる場合（即ち、異なる受信ビームを使用して受信する必要がある）、端末デバイスはこの時間ウィンドウ内で複数の受信ビームを同時に使用してこれらのＰＤＳＣＨを受信できない可能性があり、受信に単一の受信ビームしか使用できず、このとき、受信の優先順位を明確にする必要がある。
【００４２】
或いは、別の例として、下り信号の例としてＰＤＳＣＨを取り上げると、第１の検出ウィンドウは、端末デバイスが一つのＤＣＩを検出してから当該ＤＣＩによってスケジュールされたＰＤＳＣＨの伝送が完了するまでの一つの時間ウィンドウであってもよく、端末デバイスがこの時間ウィンドウ内に別のＤＣＩを受信して当該時間ウィンドウ内で別のＰＤＳＣＨを伝送する必要がある場合、端末デバイスは当該時間ウィンドウ内に２つのＰＤＳＣＨを同時に受信する必要があり、且つ当該２つのＰＤＳＣＨの伝送構成が異なる可能性があり、端末デバイスは必ずしも当該時間ウィンドウで伝送構成を切り替えられる時間がないので、受信の優先順位を明確にする必要がある。
【００４３】
或いは、別の例として、下り信号の例としてＰＤＳＣＨを取り上げると、第１の検出ウィンドウは、Ｔの時間長を有する時間ウィンドウであってよく、ここで、Ｔは、端末デバイスが受信ビームを切り替えるのに必要な時間である。端末デバイスが一つの時間ウィンドウで２つのＰＤＳＣＨを同時に受信する必要があり、且つ当該２つのＰＤＳＣＨのＱＣＬタイプＤの参照信号が異なる場合（即ち、異なる受信ビームを使用して受信する必要がある）、端末デバイスはこの時間ウィンドウ内で異なる受信ビームを同時に使用して当該２つのＰＤＳＣＨを受信できない可能性があり、受信の優先順位を明確にする必要がある。
【００４４】
選択的に、本実施例の一可能な実現形態において、２２０において、前記端末デバイスは、具体的に、前記少なくとも２つの下り信号の伝送情報に従って、前記少なくとも２つの下り信号のうちの少なくとも１つの下り信号を受信するかどうかを決定してもよく、又は前記少なくとも２つの下り信号の伝送情報に従って前記少なくとも２つの下り信号のうちの少なくとも１つの下り信号を受信するために使用される伝送構成を決定してもよく、本実施例ではこれを特に限定しない。
【００４５】
なお、ここでの伝送構成は、ＰＤＳＣＨを受信するための受信ビーム、又はＰＤＳＣＨのＴＣＩ状態に含まれる参照信号、又は参照としてのＱＣＬタイプＤの参照信号であってよく、本実施例ではこれを特に限定しない。
【００４６】
本発明に関する参照信号は、ＣＳＩ−ＲＳ、ＳＳＢ、又はトラッキング参照信号（Tracking RS，TRS）を含み得るが、これらに限定されず、本実施例ではこれを特に限定しない。
【００４７】
その中で、プライマリ同期信号（Primary Synchronization Signal，PSS）、セコンダリー同期信号（Secondary Synchronization Signal，SSS）及び物理放送チャネル（Physical Broadcast Channel，PBCH）は一緒に同期信号ブロック（Synchronization Signal Block，SSB）、即ちＳＳ／ＰＢＣＨブロックを形成する。
【００４８】
選択的に、本実施例の一可能な実現形態において、２２０において、前記伝送情報は、前記少なくとも２つの下り信号のスケジューリング情報を含み、前記端末デバイスは、以下の方法で前記少なくとも２つ下り信号のそれぞれの受信モードを決定することができる。
【００４９】
一具体的な実装プロセスでは、前記端末デバイスは、前記少なくとも２つの下り信号をスケジューリングするためのＤＣＩの受信順序に従って、前記少なくとも２つの下り信号の受信モードを決定することができる。
【００５０】
例えば、下り信号の例としてＰＤＳＣＨを取り上げると、端末デバイスは、先に受信したＤＣＩによってスケジュールされたＰＤＳＣＨを受信し、後で受信したＤＣＩによってスケジュールされたＰＤＳＣＨを受信しない。
【００５１】
又は、別の例として、下り信号の例としてＰＤＳＣＨを取り上げると、端末デバイスは、先に受信したＤＣＩでスケジュールされたＰＤＳＣＨの伝送構成（例えば、ＱＣＬタイプＤの参照信号又は受信ビーム）を使用して、前記少なくとも２つのＰＤＳＣＨを受信する。
【００５２】
別の具体的な実装プロセスでは、前記端末デバイスは、前記少なくとも２つの下り信号をスケジュールするＤＣＩのＤＣＩフォーマット（DCI format）に従って、前記少なくとも２つの下り信号の受信モードを決定する。
【００５３】
例えば、下り信号の例としてＰＤＳＣＨを取り上げると、端末デバイスは、前記少なくとも２つのＰＤＳＣＨのうち、ＤＣＩフォーマット１＿０によってスケジュールされたＰＤＳＣＨを優先的に受信し、ＤＣＩフォーマット１＿１によってスケジュールされたＰＤＳＣＨを受信しない。
【００５４】
又は、別の例として、下り信号の例としてＰＤＳＣＨを取り上げると、端末デバイスは、前記少なくとも２つのＰＤＳＣＨのうち、ＤＣＩフォーマット１＿０によってスケジュールされたＰＤＳＣＨの伝送構成（例えば、ＱＣＬタイプＤの参照信号又は受信ビーム）を使用して、前記少なくとも２つのＰＤＳＣＨ（ＤＣＩフォーマット１＿１によってスケジュールされたＰＤＳＣＨを含む）を受信する。
【００５５】
別の具体的な実装プロセスでは、前記端末デバイスは、前記少なくとも２つの下り信号をスケジュールするＤＣＩの巡回冗長チェックコードＣＲＣスクランブリングモードに従って、前記少なくとも２つの下り信号の受信モードを決定する。
【００５６】
例えば、下り信号の例としてＰＤＳＣＨを取り上げると、端末デバイスは、前記少なくとも２つのＰＤＳＣＨの中でセル無線ネットワーク一時識別子（Cell Radio Network Temporary Identifier，C-RNTI）によってスクランブルされたＤＣＩによってスケジュールされたＰＤＳＣＨを優先的に受信し、回線交換ＲＮＴＩ（Circuit Switched Radio Network Temporary Identifier，CS-RNTI）によってスクランブルされたＤＣＩによってスケジュールされたＰＤＳＣＨを受信しない。
【００５７】
又は、別の例として、下り信号の例としてＰＤＳＣＨを取り上げると、端末デバイスは、前記少なくとも２つのＰＤＳＣＨの中でＣ−ＲＮＴＩによってスクランブルされたＤＣＩによってスケジュールされたＰＤＳＣＨの伝送構成（例えば、ＱＣＬタイプＤの参照信号又は受信ビーム）を使用して、前記少なくとも２つのＰＤＳＣＨ（ＣＳ−ＲＮＴＩによってスクランブルされたＤＣＩを使用してスケジュールされたＰＤＳＣＨを含む）を受信する。
【００５８】
別の具体的な実装プロセスでは、前記端末デバイスは、前記少なくとも２つの下り信号をスケジュールするためのＤＣＩが位置するサーチスペース又は制御リソースセット（CORESET）に従って、前記少なくとも２つの下り信号の受信モードを決定する。
【００５９】
例えば、下り信号の例としてＰＤＳＣＨを取り上げると、端末デバイスは、共通サーチスペースで検出されたＤＣＩによってスケジュールされたＰＤＳＣＨを優先的に受信し、ユーザーデバイス（User Equipment，UE）固定サーチスペースで検出されたＤＣＩによってスケジュールされたＰＤＳＣＨを受信しない。
【００６０】
又は、別の例として、下り信号の例としてＰＤＳＣＨを取り上げると、端末デバイスは、共通サーチスペースで検出されたＤＣＩによってスケジュールされたＰＤＳＣＨの伝送構成（例えば、ＱＣＬタイプＤの参照信号又は受信ビーム）を採用して、前記少なくとも２つのＰＤＳＣＨ（ＵＥ固有サーチスペースで検出されたＤＣＩによってスケジュールされたＰＤＳＣＨを含む）を受信する。
【００６１】
別の具体的な実装プロセスでは、前記端末デバイスは、前記少なくとも２つの下り信号のそれぞれの下り信号をスケジュールするＤＣＩとスケジュールされた下り信号との間の時間間隔に従って、前記少なくとも２つの下り信号のそれぞれの下り信号の受信モードを決定する。
【００６２】
例えば、下り信号の例としてＰＤＳＣＨを取り上げると、端末デバイスは、ＰＤＳＣＨをスケジュールするＤＣＩとスケジュールされたＰＤＳＣＨとの間の時間間隔が短いＰＤＳＣＨを優先的に受信し、ＰＤＳＣＨをスケジュールするＤＣＩとスケジュールされたＰＤＳＣＨとの間の時間間隔が長いＰＤＳＣＨを受信しない。
【００６３】
又は、別の例として、下り信号の例としてＰＤＳＣＨを取り上げると、端末デバイスは、前記少なくとも２つのＰＤＳＣＨのうち、ＰＤＳＣＨをスケジュールするＤＣＩとスケジュールされたＰＤＳＣＨとの間の時間間隔が短いＰＤＳＣＨの伝送構成（例えば、ＱＣＬタイプＤの参照信号又は受信ビーム）を採用して、前記少なくとも２つのＰＤＳＣＨ（ＰＤＳＣＨをスケジュールするＤＣＩとスケジュールされたＰＤＳＣＨの間の時間間隔が長いＰＤＳＣＨを含む）を受信する。
【００６４】
具体的には、前記端末デバイスは具体的に、前記少なくとも２つの下り信号のそれぞれをスケジュールするＤＣＩとスケジュールされた下り信号との間の時間間隔が、事前に設定された第１の時間閾値よりも大きいかどうかに応じて、前記少なくとも２つの下り信号のそれぞれの受信モードを決定し得る。
【００６５】
ここで、前記第１の時間閾値は、端末デバイスによって報告された時間長又はネットワークデバイスによって構成された時間長であり得るが、本実施例はこれを特に限定しない。
【００６６】
例えば、端末デバイスは、ＰＤＳＣＨをスケジュールするＤＣＩとＰＤＳＣＨとの間の時間間隔が事前に設定された第１の時間閾値を超えるＰＤＳＣＨを優先的に受信し、ＰＤＳＣＨをスケジュールするＤＣＩとＰＤＳＣＨとの間の時間間隔が事前に設定された第１の時間閾値よりも小さいＰＤＳＣＨを受信しない。事前に設定された第１の時間閾値を超える又は下回るＰＤＳＣＨが複数ある場合は、他の条件に従って判断することができる。
【００６７】
又は、別の例として、端末デバイスは、前記少なくとも２つのＰＤＳＣＨのうち、ＰＤＳＣＨをスケジュールするＤＣＩとＰＤＳＣＨとの間の時間間隔が事前に設定された第１の時間閾値を超えるＰＤＳＣＨの伝送構成（例えば、ＱＣＬタイプＤの参照信号又は受信ビーム）を採用して、前記少なくとも２つのＰＤＳＣＨ（ＰＤＳＣＨをスケジュールするＤＣＩとＰＤＳＣＨとの間の時間間隔が事前に設定された第１の時間閾値よりも小さいＰＤＳＣＨを含む）を受信し、事前に設定された第１の時間閾値を超える又は下回るＰＤＳＣＨが複数ある場合は、他の条件に従って判断することができる。
【００６８】
選択的に、本実施例の一可能な実現形態において、２２０において、前記伝送情報には、前記少なくとも２つの下り信号の伝送構成が含まれ、前記端末デバイスは、以下の方法で前記少なくとも２つの下り信号のそれぞれの受信モードを決定することができる。
【００６９】
一具体的な実装プロセスでは、前記端末デバイスは、前記少なくとも２つの下り信号のＴＣＩ状態にＱＣＬタイプＤの参照信号が含まれているかどうかに応じて、前記少なくとも２つの下り信号の受信モードを決定する。
【００７０】
例えば、下り信号の例としてＰＤＳＣＨを取り上げると、端末デバイスは、前記少なくとも２つのＰＤＳＣＨのうち、対応するＴＣＩ状態にＱＣＬタイプＤの参照信号が含まれるＰＤＳＣＨを優先的に受信し、対応するＴＣＩ状態にＱＣＬタイプＤの参照信号が含まれていないＰＤＳＣＨを受信しない。
【００７１】
又は、別の例として、下り信号の例としてＰＤＳＣＨを取り上げると、端末デバイスは、前記少なくとも２つのＰＤＳＣＨのうち、対応するＴＣＩ状態にＱＣＬタイプＤの参照信号が含まれるＰＤＳＣＨの伝送構成（例えば、ＱＣＬタイプＤの参照信号又は受信ビーム）を採用して、前記少なくとも２つのＰＤＳＣＨ（対応するＴＣＩ状態にＱＣＬタイプＤの参照信号が含まれていないＰＤＳＣＨを含む）を受信する。
【００７２】
別の具体的な実装プロセスでは、前記端末デバイスは、前記少なくとも２つの下り信号のＴＣＩ状態に含まれる参照信号のタイプに従って、前記少なくとも２つの下り信号の受信モードを決定する。
【００７３】
例えば、下り信号の例としてＰＤＳＣＨを取り上げると、端末デバイスは、前記少なくとも２つのＰＤＳＣＨのうち、対応するＴＣＩ状態に含まれる参照信号がＣＳＩ−ＲＳであるＰＤＳＣＨを優先的に受信し、対応するＴＣＩ状態に含まれる参照信号が同期信号ブロック（Synchronization Signal Block，SSB）であるＰＤＳＣＨを受信しない。
【００７４】
又は、別の例として、下り信号の例としてＰＤＳＣＨを取り上げると、端末デバイスは、前記少なくとも２つのＰＤＳＣＨのうち、対応するＴＣＩ状態に含まれる参照信号がＣＳＩ−ＲＳであるＰＤＳＣＨの伝送構成（例えば、ＱＣＬタイプＤの参照信号又は受信ビーム）を採用して、前記少なくとも２つのＰＤＳＣＨ（対応するＴＣＩ状態に含まれる参照信号がＳＳＢであるＰＤＳＣＨを含む）を受信する。
【００７５】
別の具体的な実装プロセスでは、前記端末デバイスは、前記少なくとも２つの下り信号のＴＣＩ状態に含まれるＱＣＬタイプＤの参照信号のタイプに従って、前記少なくとも２つの下り信号の受信モードを決定する。
【００７６】
例えば、下り信号の例としてＰＤＳＣＨを取り上げると、端末デバイスは、前記少なくとも２つのＰＤＳＣＨのうち、対応するＴＣＩ状態に含まれるＱＣＬタイプＤの参照信号がＣＳＩ−ＲＳであるＰＤＳＣＨを優先的に受信し、対応するＴＣＩ状態に含まれるＱＣＬタイプＤの参照信号がＳＳＢであるＰＤＳＣＨを受信しない。
【００７７】
又は、別の例として、下り信号の例としてＰＤＳＣＨを取り上げると、端末デバイスは、前記少なくとも２つのＰＤＳＣＨのうち、対応するＴＣＩ状態に含まれるＱＣＬタイプＤの参照信号がＣＳＩ−ＲＳであるＰＤＳＣＨの伝送構成（例えば、ＱＣＬタイプＤの参照信号又は受信ビーム）を採用して、前記少なくとも２つのＰＤＳＣＨ（対応するＴＣＩ状態に含まれるＱＣＬタイプＤの参照信号がＳＳＢであるＰＤＳＣＨを含む）を受信する。
【００７８】
別の具体的な実装プロセスでは、前記端末デバイスは、前記少なくとも２つの下り信号のマッピングタイプ（mapping type）に従って、前記少なくとも２つの下り信号の受信モードを決定する。ここで、マッピングタイプは主にＰＤＳＣＨのマッピングタイプを指し、異なるマッピングタイプは異なるＰＤＳＣＨ開始シンボルとＰＤＳＣＨ持続時間（シンボル数）に対応することができる。
【００７９】
例えば、下り信号の例としてＰＤＳＣＨを取り上げると、端末デバイスは、前記少なくとも２つのＰＤＳＣＨのうち、マッピングタイプがタイプＢ（type B）であるＰＤＳＣＨを優先的に受信し、マッピングタイプがタイプＡ（type A）であるＰＤＳＣＨを受信しない。
【００８０】
又は、別の例として、下り信号の例としてＰＤＳＣＨを取り上げると、端末デバイスは、前記少なくとも２つのＰＤＳＣＨのうち、マッピングタイプがタイプＢであるＰＤＳＣＨの伝送構成（例えば、ＱＣＬタイプＤの参照信号又は受信ビーム）を採用して、前記少なくとも２つのＰＤＳＣＨ（マッピングタイプがタイプＡであるＰＤＳＣＨを含む）を受信する。
【００８１】
別の具体的な実装プロセスでは、前記端末デバイスは、前記少なくとも２つの下り信号の持続時間長（duration）に従って、前記少なくとも２つの下り信号の受信モードを決定する。
【００８２】
例えば、下り信号の例としてＰＤＳＣＨを取り上げると、端末デバイスは、前記少なくとも２つのＰＤＳＣＨのうち、持続時間の短いＰＤＳＣＨを優先的に受信し、持続時間の長いＰＤＳＣＨを受信しない。逆に、端末デバイスは、前記少なくとも２つのＰＤＳＣＨのうち、持続時間の長いＰＤＳＣＨを優先的に受信し、持続時間の短いＰＤＳＣＨを受信しなくてもよい。
【００８３】
又は、別の例として、下り信号の例としてＰＤＳＣＨを取り上げると、端末デバイスは、前記少なくとも２つのＰＤＳＣＨのうち、持続時間の短いＰＤＳＣＨの伝送構成（例えば、ＱＣＬタイプＤの参照信号又は受信ビーム）を採用して、前記少なくとも２つのＰＤＳＣＨ（持続時間の長いＰＤＳＣＨを含む）を受信する。逆に、端末デバイスは、前記少なくとも２つのＰＤＳＣＨのうち、持続時間の長いＰＤＳＣＨの伝送構成（例えば、ＱＣＬタイプＤの参照信号又は受信ビーム）を採用して、前記少なくとも２つのＰＤＳＣＨ（持続時間の短いＰＤＳＣＨを含む）を受信してもよい。
【００８４】
選択的に、本実施例の一可能な実現形態において、２２０において、前記伝送情報には、前記少なくとも２つの下り信号によって運ばれる情報が含まれ、前記端末デバイスは、以下の方法で前記少なくとも２つの下り信号のそれぞれの受信モード決定することができる。
【００８５】
一具体的な実装プロセスでは、前記端末デバイスは、前記少なくとも２つの下り信号がシステム情報を運ぶかどうかに応じて、前記少なくとも２つの下り信号の受信モードを決定する。
【００８６】
例えば、下り信号の例としてＰＤＳＣＨを取り上げると、端末デバイスは、前記少なくとも２つのＰＤＳＣＨのうち、システム情報を運ぶＰＤＳＣＨを優先的に受信し、通常のデータのみを運ぶＰＤＳＣＨを受信しない。
【００８７】
又は、別の例として、下り信号の例としてＰＤＳＣＨを取り上げると、端末デバイスは、前記少なくとも２つのＰＤＳＣＨのうち、システム情報を運ぶＰＤＳＣＨの伝送構成（例えば、ＱＣＬタイプＤの参照信号又は受信ビーム）を採用して、前記少なくとも２つのＰＤＳＣＨ（システム情報を運ばないＰＤＳＣＨを含む）を受信する。
【００８８】
別の具体的な実装プロセスでは、前記端末デバイスは、前記少なくとも２つの下り信号が上位レイヤシグナリングを運ぶかどうかに従って、前記少なくとも２つの下り信号の受信モードを決定する。
【００８９】
例えば、下り信号の例としてＰＤＳＣＨを取り上げると、端末デバイスは、前記少なくとも２つのＰＤＳＣＨのうち、上位レイヤシグナリングを運ぶＰＤＳＣＨを優先的に受信し、通常のデータのみを運ぶＰＤＳＣＨを受信しない。
【００９０】
又は、別の例として、下り信号の例としてＰＤＳＣＨを取り上げると、端末デバイスは、前記少なくとも２つのＰＤＳＣＨのうち、上位レイヤシグナリングを運ぶＰＤＳＣＨの伝送構成（例えば、ＱＣＬタイプＤの参照信号又は受信ビーム）を採用して、前記少なくとも２つのＰＤＳＣＨ（上位レイヤシグナリングを運ばないＰＤＳＣＨを含む）を受信する。
【００９１】
端末デバイスは、様々な実現形態および実装プロセスにおける上記の技術的解決策を組み合わせることによって、前記少なくとも２つの下り信号のそれぞれの受信モードを決定できることが理解でき、本実施例ではこれを特に限定しない。
【００９２】
選択的に、本実施例の一可能な実現形態において、２２０において、具体的に、前記端末デバイスは、前記少なくとも２つの下り信号の伝送情報に従って、前記少なくとも２つの下り信号のそれぞれの優先度を決定でき、さらに、前記各下り信号の優先度に従って、前記少なくとも２つの下り信号の受信モードを決定できる。
【００９３】
一具体的な実装プロセスでは、具体的に、前記端末デバイスは、前記少なくとも２つの下り信号をスケジューリングするＤＣＩの受信順序に基づいて、又は、前記少なくとも２つの下り信号をスケジューリングするＤＣＩのＤＣＩフォーマットに基づいて、又は、前記少なくとも２つの下り信号をスケジューリングするＤＣＩのＣＲＣスクランブリングモードに基づいて、又は、前記少なくとも２つの下り信号をスケジューリングするＤＣＩが位置するサーチスペース又は制御リソースセットに基づいて、又は、前記少なくとも２つの下り信号のそれぞれをスケジューリングするＤＣＩとスケジュールされた下り信号との間の時間間隔に基づいて、又は、前記少なくとも２つの下り信号のＴＣＩ状態にＱＣＬタイプＤの参照信号が含まれるかどうかに基づいて、又は、前記少なくとも２つの下り信号のＴＣＩ状態に含まれる参照信号のタイプに基づいて、又は、前記少なくとも２つの下り信号のＴＣＩ状態に含まれるＱＣＬタイプＤの参照信号のタイプに基づいて、又は、前記少なくとも２つの下り信号のマッピングタイプに基づいて、又は、前記少なくとも２つの下り信号の持続時間長に基づいて、又は、前記少なくとも２つの下り信号がシステム情報を運むかどうかに基づいて、又は、前記少なくとも２つの下り信号が上位レイヤシグナリングを運むかどうかに基づいて、前記少なくとも２つの下り信号のそれぞれの優先度を決定することができる。
【００９４】
端末デバイスは、上記の複数の条件を組み合わせることにより、前記少なくとも２つの下り信号のそれぞれの優先度を判断できることは理解できる。例えば、最初に条件Ａに基づいて優先度順位を判断し、条件Ａが同じである場合、さらに条件Ｂに基づいて優先度順位を判断する。
【００９５】
例えば、下り信号の例としてＰＤＳＣＨを取り上げると、先に受信したＤＣＩによってスケジューリングされたＰＤＳＣＨの優先度が高くなる。
【００９６】
又は、別の例として、下り信号の例としてＰＤＳＣＨを取り上げると、ＤＣＩフォーマット１＿０によってスケジュールされたＰＤＳＣＨの優先度は、ＤＣＩフォーマット１＿１によってスケジュールされたＰＤＳＣＨの優先度よりも高くなる。
【００９７】
又は、別の例として、下り信号の例としてＰＤＳＣＨを取り上げると、共通サーチスペースで検出されたＤＣＩによってスケジュールされたＰＤＳＣＨの優先度は、ＵＥ固有サーチスペースで検出されたＤＣＩによってスケジュールされたＰＤＳＣＨの優先度よりも高くなる。
【００９８】
又は、別の例として、下り信号の例としてＰＤＳＣＨを取り上げると、Ｃ−ＲＮＴＩ及びＣＳ−ＲＮＴＩ以外のＲＮＴＩによってスクランブルされたＤＣＩによってスケジュールされたＰＤＳＣＨが最も高い優先度を持ち、Ｃ−ＲＮＴＩによってスクランブルされたＤＣＩによってスケジュールされたＰＤＳＣＨが２番目に高い優先度を持ち、ＣＳ−ＲＮＴＩによってスクランブルされたＤＣＩによってスケジュールされたＰＤＳＣＨが最も低い優先度を持つ。
【００９９】
又は、別の例として、下り信号の例としてＰＤＳＣＨを取り上げると、対応するＴＣＩ状態にＱＣＬタイプＤの参照信号が含まれるＰＤＳＣＨの優先度は、対応するＴＣＩ状態にＱＣＬタイプＤの参照信号が含まれないＰＤＳＣＨの優先度よりも高くなる。
【０１００】
又は、別の例として、下り信号の例としてＰＤＳＣＨを取り上げると、ＰＤＳＣＨをスケジュールするＤＣＩとスケジュールされたＰＤＳＣＨの間の時間間隔が短いほど、対応するＰＤＳＣＨの優先度が高くなる。
【０１０１】
又は、別の例として、下り信号の例としてＰＤＳＣＨを取り上げると、ＰＤＳＣＨをスケジュールするＤＣＩとスケジュールされたＰＤＳＣＨの間の時間間隔が事前に設定された第２の時間閾値より大きいＰＤＳＣＨの優先度は、事前に設定された第２の時間閾値より小さいＰＤＳＣＨの優先度よりも高くなる。
【０１０２】
又は、別の例として、下り信号の例としてＰＤＳＣＨを取り上げると、前記ＰＤＳＣＨのＴＣＩ状態に含まれる参照信号のタイプの優先度順位は、ＴＲＳ>ＣＳＩ−ＲＳ>ＳＳＢであり、対応する参照信号の優先度が高いほど、ＰＤＳＣＨの優先度が高くなる。
【０１０３】
又は、別の例として、下り信号の例としてＰＤＳＣＨを取り上げると、前記ＰＤＳＣＨのＴＣＩ状態に含まれるＱＣＬタイプＤの参照信号のタイプの優先度順位は、ＴＲＳ>ＣＳＩ−ＲＳ>ＳＳＢであり、対応するＱＣＬタイプＤの参照信号の優先度が高いほど、ＰＤＳＣＨの優先度が高くなる。
【０１０４】
又は、別の例として、下り信号の例としてＰＤＳＣＨを取り上げると、マッピングタイプがタイプＢであるＰＤＳＣＨの優先度は、マッピングタイプがタイプＡであるＰＤＳＣＨの優先度よりも高くなる。
【０１０５】
又は、別の例として、下り信号の例としてＰＤＳＣＨを取り上げると、ＰＤＳＣＨの持続時間が短いほど優先度が高くなり、逆に、ＰＤＳＣＨの持続時間が長いほど優先度が高くなってもよい。
【０１０６】
又は、別の例として、下り信号の例としてＰＤＳＣＨを取り上げると、システム情報を運ぶＰＤＳＣＨの優先度は、システム情報を運ばないＰＤＳＣＨの優先度よりも高くなる。
【０１０７】
又は、別の例として、下り信号の例としてＰＤＳＣＨを取り上げると、上位レイヤシグナリングを運ぶＰＤＳＣＨの優先度は、上位レイヤシグナリングを運ばないＰＤＳＣＨの優先度よりも高くなる。
【０１０８】
別の具体的な実装プロセスでは、前記端末デバイスは、以下の方法で、前記各下り信号の優先度に従って、前記少なくとも２つの下り信号の受信モードを決定することができる。
【０１０９】
例えば、前記端末デバイスは、優先度の高い下り信号を受信し、優先度の低い下り信号を受信しないと決定する。
【０１１０】
又は、別の例として、前記端末デバイスは、優先度の高い下り信号の伝送構成を採用して前記少なくとも２つの下り信号（優先度の低い下り信号を含む）を受信すると決定する。
【０１１１】
本発明によって提供される技術的解決策に基づいて、端末デバイスは、一つの検出ウィンドウ内で複数の下り信号が衝突するか、又は下り信号の受信ビームが異なる場合、優先度を決定することで複数の下り信号を受信し、それにより、優先度の高い下り信号の復調性能を確保する。
【０１１２】
選択的に、本実施例の一可能な実現形態において、２２０において、具体的に、前記端末デバイスは、前記端末デバイスのアンテナアレイの数及び前記少なくとも２つの下り信号の伝送情報に応じて、前記少なくとも２つの下り信号の受信モードを決定することができる。
【０１１３】
一具体的な実装プロセスでは、前記アンテナアレイの数Ｋが前記少なくとも２つの下り信号の数Ｎより小さい場合、前記端末デバイスは、前記Ｎ個の下り信号の伝送情報に従って前記Ｎ個の下り信号から最も優先度の高いＫ個の下り信号を選択し、前記Ｋ個の下り信号の伝送構成を使用してそれぞれ前記Ｋ個の下り信号を受信すると決定する。
【０１１４】
例えば、下り信号の例としてＰＤＳＣＨを取り上げると、端末デバイスにＫ個のアンテナアレイがあり、かつＫ<Ｎの場合、端末デバイスは、前記Ｎ個のＰＤＳＣＨの伝送情報に従って、前述の可能な実装形態で提供される技術的解決策に従って前記Ｎ個のＰＤＳＣＨから最も優先度の高いＫ個のＰＤＳＣＨを選択し、前記Ｋ個のＰＤＳＣＨの伝送構成を使用してそれぞれ前記Ｋ個の下り信号を受信することができる。同時に、前記Ｋ個のＰＤＳＣＨは、それぞれＫ個のアンテナアレイを使用して受信することができる。
【０１１５】
前記Ｋ個のＰＤＳＣＨ以外のＰＤＳＣＨについて、端末デバイスは受信しないか、前記Ｋ個のＰＤＳＣＨの伝送構成を使用して受信することができる。
【０１１６】
通常、Ｋ＝１、Ｎ＝２又は３の場合、２つ又は３つの信号から優先度の最も高い一つの信号を選択し、及び／又は、Ｋ＝２、Ｎ＝３の場合、３つの信号から優先度の最も高い２つの信号を選択する必要がある。
【０１１７】
別の具体的な実装プロセスでは、前記アンテナアレイ（Antenna Panel）の数Ｋが前記少なくとも２つの下り信号の数Ｎ以上である場合、前記端末デバイスは、前記Ｎ個の下り信号の伝送構成を採用してそれぞれ前記Ｎ個の下り信号を受信すると決定する。
【０１１８】
例えば、下り信号の例としてＰＤＳＣＨを取り上げると、端末デバイスにＫ個のアンテナアレイがあり、且つＫ≧Ｎの場合、端末デバイスは、前記Ｎ個のＰＤＳＣＨのそれぞれの伝送構成を使用して、それぞれ前記Ｎ個のＰＤＳＣＨを受信することができる。同時に、前記Ｎ個のＰＤＳＣＨは、それぞれＮ個のアンテナアレイを使用して受信することができる。
【０１１９】
本実施例では、端末デバイスは、第１の検出ウィンドウ内で少なくとも２つの下り信号を受信する必要があると決定し、さらに前記少なくとも２つの下り信号の伝送情報に従って、前記少なくとも２つの下り信号の受信モードを決定することで、前記端末デバイスは、前記少なくとも２つの下り信号の受信モードに従って、第１の検出ウィンドウ内で前記少なくとも２つの下り信号における少なくとも１つの下り信号を受信することができ、それによって端末デバイスによる複数の下り信号の受信を実現することになる。
【０１２０】
前述の各方法実施例について、簡潔な説明のために、一連の動作の組み合わせとして表されるが、当業者は、本発明が記載された動作順序に限定されないことを知っているべきであることに留意されたい。本発明によれば、特定のステップを他の順序で又は同時に実行することができるからである。また、当業者は、本明細書に記載の実施例がすべて好ましい実施例であり、関連する動作及びモジュールが本発明において必ずしも必要とされないことも知っているべきである。
【０１２１】
上記の実施例では、各実施例の説明は、それ自体の焦点を有し、ある実施例で詳しく説明されていない部分については、他の実施例の関連する説明を参照するこができる。
【０１２２】
図３は、本願の実施例によって提供される端末デバイス３００の概略ブロック図である。本実施例で提供される端末デバイスは、受信スケジューリング決定ユニット３１０、受信モード決定ユニット３２０、及び下り信号受信ユニット３３０を含み得る。受信スケジューリング決定ユニット３１０は、第１の検出ウィンドウ内で少なくとも２つの下り信号を受信する必要があると決定するように構成される。受信モード決定ユニット３２０は、前記少なくとも２つの下り信号の伝送情報に従って前記少なくとも２つの下り信号の受信モードを決定するように構成され、前記伝送情報は、前記少なくとも２つの下り信号のスケジューリング情報、伝送構成、又は運ばれる情報のうちの少なくとも１つを含む。下り信号受信ユニット３３０は、前記少なくとも２つの下り信号の受信モードに従って、前記第１の検出ウィンドウ内で前記少なくとも２つの下り信号のうちの少なくとも１つの下り信号を受信するように構成される。
【０１２３】
なお、本発明に関する前記下り信号は、物理下り共有チャネル（Physical Downlink Shared Channel，PDSCH）、物理下り制御チャネル（Physical Downlink Control Channel，PDCCH）、又はチャネル状態情報参照信号（Channel State Information Reference Signal，CSI-RS）を含み得るが、これらに限定されず、本実施例はこれを特に限定しない。
【０１２４】
選択的に、本実施例の一可能な実現形態において、前記伝送構成は、以下を含み得るが、これらに限定されない：
対応する下り信号を受信するために使用される受信ビーム、及び/又は
対応する下り信号を受信するために使用される準コロケーション（Quasi-Co-Located，QCL）タイプＤ（type D）の参照信号。
【０１２５】
選択的に、本実施例の一可能な実現形態において、前記少なくとも２つの下り信号のそれぞれは、独立した下り制御情報（Downlink Control Information，DCI）によってスケジュールされ得る。
【０１２６】
選択的に、本実施例の一可能な実現形態において、前記少なくとも２つの下り信号における異なる下り信号によって占有される物理リソースがオーバーラップし、従って、これらのＰＤＳＣＨは、第１の検出ウィンドウで同時に端末デバイスによって受信され得ない。
【０１２７】
選択的に、本実施例の一可能な実現形態において、前記少なくとも２つの下り信号における異なる下り信号は、異なる伝送構成を有する。従って、端末デバイスは、第１の検出ウィンドウにおいて、各ＰＤＳＣＨのそれぞれの伝送構成を使用して各ＰＤＳＣＨを受信することはできない。
【０１２８】
例えば、前記少なくとも２つの下り信号における異なる下り信号の伝送構成インジケータ（Transmission Configuration Indicator，TCI）状態に含まれる参照信号が異なる。
【０１２９】
或いは、別の例として、前記少なくとも２つの下り信号における異なる下り信号のＴＣＩ状態に含まれる準コロケーション（Quasi-Co-Located，QCL）タイプＤ（type D）の参照信号が異なる。
【０１３０】
或いは、別の例として、前記少なくとも２つの下り信号における異なる下り信号のＴＣＩ状態に含まれるＱＣＬタイプＤの参照信号はＱＣＬではない。
【０１３１】
選択的に、本実施例の一可能な実現形態において、前記第１の検出ウィンドウは、以下の時間ユニットを含み得るが、これらに限定されない：
一つのスロット、又は
少なくとも２つのスロット、又は
一つの直交周波数分割多重（Orthogonal Frequency Division Multiplexing，OFDM）シンボル、又は
少なくとも２つのＯＦＤＭシンボル。
【０１３２】
選択的に、本実施例の一可能な実現形態において、前記受信モード決定ユニット３２０は、具体的に次のように構成され得る。
【０１３３】
前記少なくとも２つの下り信号の伝送情報に従って、前記少なくとも２つの下り信号のうちの少なくとも１つの下り信号を受信するかどうかを決定し、及び/又は
前記少なくとも２つの下り信号の伝送情報に従って、前記少なくとも２つの下り信号のうちの少なくとも１つの下り信号を受信するために使用される伝送構成を決定する。
【０１３４】
選択的に、本実施例の一可能な実現形態において、前記伝送情報は、前記少なくとも２つの下り信号のスケジューリング情報を含み、前記受信モード決定ユニット３２０は、具体的に以下のように構成され得る。
【０１３５】
前記少なくとも２つの下り信号をスケジューリングするためのＤＣＩの受信順序に従って、前記少なくとも２つの下り信号の受信モードを決定し、及び/又は
前記少なくとも２つの下り信号をスケジュールするＤＣＩのＤＣＩフォーマットに従って、前記少なくとも２つの下り信号の受信モードを決定し、及び/又は
前記少なくとも２つの下り信号をスケジュールするＤＣＩの巡回冗長チェックコードＣＲＣスクランブリングモードに従って、前記少なくとも２つの下り信号の受信モードを決定し、及び/又は
前記少なくとも２つの下り信号をスケジュールするＤＣＩが位置するサーチスペース又は制御リソースセットに従って、前記少なくとも２つの下り信号の受信モードを決定し、及び/又は
前記少なくとも２つの下り信号のそれぞれの下り信号をスケジュールするＤＣＩとスケジュールされた下り信号との間の時間間隔に従って、前記少なくとも２つの下り信号のそれぞれの下り信号の受信モードを決定する。
【０１３６】
具体的には、前記受信モード決定ユニット３２０は、前記少なくとも２つの下り信号のそれぞれをスケジュールするＤＣＩとスケジュールされた下り信号との間の時間間隔が、事前に設定された第１の時間閾値よりも大きいかどうかに応じて、前記少なくとも２つの下り信号のそれぞれの受信モードを決定し得る。
【０１３７】
選択的に、本実施例の一可能な実現形態において、前記伝送情報には、前記少なくとも２つの下り信号の伝送構成が含まれ、前記受信モード決定ユニット３２０は、具体的に次のように構成され得る。
【０１３８】
前記少なくとも２つの下り信号のＴＣＩ状態にＱＣＬタイプＤの参照信号が含まれているかどうかに応じて、前記少なくとも２つの下り信号の受信モードを決定し、及び/又は
前記少なくとも２つの下り信号のＴＣＩ状態に含まれる参照信号のタイプに従って、前記少なくとも２つの下り信号の受信モードを決定し、及び/又は
前記少なくとも２つの下り信号のＴＣＩ状態に含まれるＱＣＬタイプＤの参照信号のタイプに従って、前記少なくとも２つの下り信号の受信モードを決定し、及び/又は
前記少なくとも２つの下り信号のマッピングタイプに従って、前記少なくとも２つの下り信号の受信モードを決定し、及び/又は
前記少なくとも２つの下り信号の持続時間長に従って、前記少なくとも２つの下り信号の受信モードを決定する。
【０１３９】
選択的に、本実施例の一可能な実現形態において、前記伝送情報には、前記少なくとも２つの下り信号によって運ばれる情報が含まれ、前記受信モード決定ユニット３２０は、具体的に以下のように構成され得る。
【０１４０】
前記少なくとも２つの下り信号がシステム情報を運ぶかどうかに応じて、前記少なくとも２つの下り信号の受信モードを決定し、及び/又は
前記少なくとも２つの下り信号が上位レイヤシグナリングを運ぶかどうかに従って、前記少なくとも２つの下り信号の受信モードを決定する。
【０１４１】
選択的に、本実施例の一可能な実現形態において、受信モード決定ユニット３２０は、具体的に、前記端末デバイスが前記少なくとも２つの下り信号の伝送情報に従って、前記少なくとも２つの下り信号のそれぞれの下り信号の優先度を決定し、前記それぞれの下り信号の優先度に従って、前記少なくとも２つの下り信号の受信モードを決定するように構成され得る。
【０１４２】
具体的には、前記受信モード決定ユニット３２０は、具体的に次のように構成され得る。
【０１４３】
優先度の高い下り信号を受信し、優先度の低い下り信号を受信しないと決定し、及び/又は
優先度の高い下り信号の伝送構成を採用して前記少なくとも２つの下り信号を受信すると決定する。
【０１４４】
選択的に、本実施例の一可能な実現形態において、前記受信モード決定ユニット３２０は、具体的に、前記端末デバイスのアンテナアレイの数及び前記少なくとも２つの下り信号の伝送情報に応じて、前記少なくとも２つの下り信号の受信モードを決定するように構成され得る。
【０１４５】
一具体的な実装プロセスでは、前記受信モード決定ユニット３２０は、具体的に、前記アンテナアレイの数Ｋが前記少なくとも２つの下り信号の数Ｎより小さい場合、前記端末デバイスが前記Ｎ個の下り信号の伝送情報に従って前記Ｎ個の下り信号から最も優先度の高いＫ個の下り信号を選択し、前記Ｋ個の下り信号の伝送構成を使用してそれぞれ前記Ｋ個の下り信号を受信すると決定するように構成され得る。
【０１４６】
別の具体的な実装プロセスでは、前記受信モード決定ユニット３２０は、具体的に、前記アンテナアレイの数Ｋが前記少なくとも２つの下り信号の数Ｎ以上である場合、前記端末デバイスが前記Ｎ個の下り信号の伝送構成を採用してそれぞれ前記Ｎ個の下り信号を受信すると決定するように構成され得る。
【０１４７】
図２に対応する実施例において端末デバイスによって実行される方法は、前述の方法において端末デバイスによって実現される対応する機能を実現するために適用され得ることに留意されたい。詳細な説明については、図２に対応する実施例の関連する内容を参照することができ、ここでは繰り返さない。
【０１４８】
本実施例では、端末デバイスは、受信スケジューリング決定ユニットを介して第１の検出ウィンドウ内で少なくとも２つの下り信号を受信する必要があると決定し、次に受信モード決定ユニットにより前記少なくとも２つの下り信号の伝送情報に従って、前記少なくとも２つの下り信号の受信モードを決定することで、下り信号受信ユニットが前記少なくとも２つの下り信号の受信モードに従って、前記第１の検出ウィンドウ内で前記少なくとも２つの下り信号における少なくとも１つの下り信号を受信することができ、それによって端末デバイスによる複数の下り信号の受信を実現することになる。
【０１４９】
図４は、本願の実施例によって提供される通信デバイス４００の概略構造図である。図４に示される通信デバイス４００は、プロセッサ４１０を含み、プロセッサ４１０は、メモリからコンピュータプログラムを呼び出して実行することで、本願の実施例における方法を実現することができる。
【０１５０】
選択的に、図４に示されるように、通信デバイス４００は、メモリ４２０をさらに含み得る。プロセッサ４１０は、メモリ４２０からコンピュータプログラムを呼び出して実行することで、本願の実施例における方法を実現することができる。
【０１５１】
ここで、メモリ４２０は、プロセッサ４１０から独立した個別のデバイスであってもよく、プロセッサ４１０に集積されてもよい。
【０１５２】
本発明の実施例に係るプロセッサは、信号処理能力のある集積回路チップであってもよいことを理解されたい。実装の過程では、上記方法の実施例の各ステップは、プロセッサにおけるハードウェアの集積論理回路又はソフトウェアの形の命令により完了することができる。上記のプロセッサは、汎用プロセッサ、デジタル信号プロセッサ（Digital Signal Processor，DSP）、専用集積回路（Application Specific Integrated Circuit，ASIC）、フィールドプログラマブルゲートアレイ（Field Programmable Gate Array，FPGA）又は他のプログラマブル論理デバイス、ディスクリートゲート又はトランジスタ論理デバイス、ディスクリートハードウェアコンポーネントであってもよい。本願の実施例において開示された各方法、ステップ、及び論理ブロック図を実現又は実行することができる。汎用プロセッサはマイクロプロセッサであってもよく、又は、上記プロセッサはまた、いずれかの通常のプロセッサ等であってもよい。本願の実施例に結合して開示された方法のステップは、ハードウェアデコードプロセッサにより実行されて完了するように直接具現化されるか、又はデコードプロセッサにおけるハードウェア及びソフトウェアモジュールの組み合わせにより実行されて完了することができる。ソフトウェアモジュールは、ランダムアクセスメモリ、フラッシュメモリ、読み取り専用メモリ、プログラマブル読み取り専用メモリ、又は電気的に消去可能なプログラマブルメモリ、レジスタ等の本技術分野の成熟した記憶媒体に配置されることができる。上記記憶媒体はメモリに配置され、プロセッサはメモリ内の情報を読み取り、そのハードウェアと組み合わせて上記の方法のステップを完了する。
【０１５３】
本願の実施例におけるメモリは、揮発性メモリ又は不揮発性メモリであってもよく、又は揮発性及び不揮発性メモリの両方を含んでもよいことが理解される。ここで、不揮発性メモリは、読み取り専用メモリ（Read-Only Memory，ROM）、プログラマブル読み取り専用メモリ（Programmable ROM，PROM）、消去可能なプログラマブル読み取り専用メモリ（Erasable PROM，EPROM）、電気的に消去可能なプログラマブル読み取り専用メモリ（Electrically EPROM，EEPROM）又はフラッシュメモリであってもよい。揮発性メモリは、外部キャッシュとして使用されるランダムアクセスメモリ（Random Access Memory，RAM）であってもよい。限定ではなく例として、スタティックランダムアクセスメモリ（Static RAM，SRAM）、ダイナミックランダムアクセスメモリ（Dynamic RAM，DRAM）、同期ダイナミックランダムアクセスメモリ（Synchronous DRAM，SDRAM）、ダブルデータレート同期ダイナミックランダムアクセスメモリ（Double Data Rate SDRAM，DDR SDRAM）、拡張同期ダイナミックランダムアクセスメモリ（Enhanced SDRAM，ESDRAM）、同期接続ダイナミックランダムアクセスメモリ（Synchlink DRAM，SLDRAM）、及びダイレクトメモリバスランダムアクセスメモリ（Direct Rambus RAM，DR RAM）等の多くの形式のＲＡＭが利用可能である。本明細書で説明されるシステム及び方法のメモリは、これら及び任意の他の適切なタイプのメモリを含むことが意図されているが、これらに限定されないことに留意されたい。
【０１５４】
上記メモリは限定ではなく示例的なものであることを理解されたい。例えば、本願の実施例のメモリは、スタティックランダムアクセスメモリ（static RAM，SRAM）、ダイナミックランダムアクセスメモリ（dynamic RAM，DRAM）、同期ダイナミックランダムアクセスメモリ（synchronous DRAM，SDRAM）、ダブルデータレート同期ダイナミックランダムアクセスメモリ（double data rate SDRAM，DDR SDRAM）、拡張同期ダイナミックランダムアクセスメモリ（enhanced SDRAM，ESDRAM）、同期接続ダイナミックランダムアクセスメモリ（synch link DRAM，SLDRAM）、及びダイレクトメモリバスランダムアクセスメモリ（Direct Rambus RAM，DR RAM）等であってもよい。つまり、本願の実施例のメモリは、これら及び任意の他の適切なタイプのメモリを含むことが意図されているが、これらに限定されない。
【０１５５】
選択的に、図４に示すように、通信デバイス４００は、送受信機４３０をさらに含むことができ、プロセッサ４１０は、他のデバイスと通信するように前記送受信機４３０を制御することができ、具体的には、情報又はデータを他のデバイスに送信したり、他のデバイスによって送信された情報又はデータを受信することができる。
【０１５６】
ここで、送受信機４３０は、送信機および受信機を含み得る。送受信機４３０はさらにアンテナを含むことができ、アンテナの数は１つ又は複数であってよい。
【０１５７】
選択的に、前記通信デバイス４００は、具体的には、本願の実施例のネットワークデバイスであってよく、かつ、前記通信デバイス４００は、本願の実施例の各方法においてネットワークデバイスによって実現される対応するプロセスを実現することができ、簡潔にするために、ここでは繰り返さない。
【０１５８】
選択的に、前記通信デバイス４００は、具体的には、本願の実施例の移動端末デバイス／端末デバイスであってよく、かつ、前記通信デバイス４００は、本願の実施例の各方法において移動端末デバイス／端末デバイスによって実現される対応するプロセスを実現することができ、簡潔にするために、ここでは繰り返さない。
【０１５９】
図５は、本願の実施例のチップの概略構成図である。図５に示すチップ５００は、プロセッサ５１０を含み、プロセッサ５１０は、メモリからコンピュータプログラムを呼び出して実行することで、本願の実施例における方法を実施することができる。
【０１６０】
選択的に、図５に示すように、チップ５００はさらにメモリ５２０を含むことができる。プロセッサ５１０は、メモリ５２０からコンピュータプログラムを呼び出して実行することで、本願の実施例における方法を実施することができる。
【０１６１】
ここで、メモリ５２０は、プロセッサ５１０から独立した個別のデバイスであってもよく、又はプロセッサ５１０に集積されてもよい。
【０１６２】
本発明の実施例に係るプロセッサは、信号処理能力のある集積回路チップであってもよいことを理解されたい。実装の過程では、上記方法の実施例の各ステップは、プロセッサにおけるハードウェアの集積論理回路又はソフトウェアの形の命令により完了することができる。上記のプロセッサは、汎用プロセッサ、デジタル信号プロセッサ（Digital Signal Processor，DSP）、専用集積回路（Application Specific Integrated Circuit，ASIC）、フィールドプログラマブルゲートアレイ（Field Programmable Gate Array，FPGA）又は他のプログラマブル論理デバイス、ディスクリートゲート又はトランジスタ論理デバイス、ディスクリートハードウェアコンポーネントであってもよい。本願の実施例において開示された各方法、ステップ、及び論理ブロック図を実現又は実行することができる。汎用プロセッサはマイクロプロセッサであってもよく、又は、上記プロセッサはまた、いずれかの通常のプロセッサ等であってもよい。本願の実施例に結合して開示された方法のステップは、ハードウェアデコードプロセッサにより実行されて完了するように直接具現化されるか、又はデコードプロセッサにおけるハードウェア及びソフトウェアモジュールの組み合わせにより実行されて完了することができる。ソフトウェアモジュールは、ランダムアクセスメモリ、フラッシュメモリ、読み取り専用メモリ、プログラマブル読み取り専用メモリ、又は電気的に消去可能なプログラマブルメモリ、レジスタ等の本技術分野の成熟した記憶媒体に配置されることができる。上記記憶媒体はメモリに配置され、プロセッサはメモリ内の情報を読み取り、そのハードウェアと組み合わせて上記の方法のステップを完了する。
【０１６３】
本願の実施例におけるメモリは、揮発性メモリ又は不揮発性メモリであってもよく、又は揮発性及び不揮発性メモリの両方を含んでもよいことが理解される。ここで、不揮発性メモリは、読み取り専用メモリ（Read-Only Memory，ROM）、プログラマブル読み取り専用メモリ（Programmable ROM，PROM）、消去可能なプログラマブル読み取り専用メモリ（Erasable PROM，EPROM）、電気的に消去可能なプログラマブル読み取り専用メモリ（Electrically EPROM，EEPROM）又はフラッシュメモリであってもよい。揮発性メモリは、外部キャッシュとして使用されるランダムアクセスメモリ（Random Access Memory，RAM）であってもよい。限定ではなく例として、スタティックランダムアクセスメモリ（Static RAM，SRAM）、ダイナミックランダムアクセスメモリ（Dynamic RAM，DRAM）、同期ダイナミックランダムアクセスメモリ（Synchronous DRAM，SDRAM）、ダブルデータレート同期ダイナミックランダムアクセスメモリ（Double Data Rate SDRAM，DDR SDRAM）、拡張同期ダイナミックランダムアクセスメモリ（Enhanced SDRAM，ESDRAM）、同期接続ダイナミックランダムアクセスメモリ（Synchlink DRAM，SLDRAM）、及びダイレクトメモリバスランダムアクセスメモリ（Direct Rambus RAM，DR RAM）等の多くの形式のＲＡＭが利用可能である。本明細書で説明されるシステム及び方法のメモリは、これら及び任意の他の適切なタイプのメモリを含むことが意図されているが、これらに限定されないことに留意されたい。
【０１６４】
上記メモリは限定ではなく示例的なものであることを理解されたい。例えば、本願の実施例のメモリは、スタティックランダムアクセスメモリ（static RAM，SRAM）、ダイナミックランダムアクセスメモリ（dynamic RAM，DRAM）、同期ダイナミックランダムアクセスメモリ（synchronous DRAM，SDRAM）、ダブルデータレート同期ダイナミックランダムアクセスメモリ（double data rate SDRAM，DDR SDRAM）、拡張同期ダイナミックランダムアクセスメモリ（enhanced SDRAM，ESDRAM）、同期接続ダイナミックランダムアクセスメモリ（synch link DRAM，SLDRAM）、及びダイレクトメモリバスランダムアクセスメモリ（Direct Rambus RAM，DR RAM）等であってもよい。つまり、本願の実施例のメモリは、これら及び任意の他の適切なタイプのメモリを含むことが意図されているが、これらに限定されない。
【０１６５】
選択的に、上記チップ５００は、入力インターフェース５３０をさらに含むことができる。ここで、プロセッサ５１０は、上記入力インターフェース５３０が他のデバイス又はチップと通信するように制御することができ、具体的には、他のデバイス又はチップによって送信された情報又はデータを取得することができる。
【０１６６】
選択的に、上記チップ５００は、出力インターフェース５４０をさらに含むことができる。ここで、プロセッサ５１０は、上記出力インターフェース５４０が他のデバイス又はチップと通信するように制御することができ、具体的には、情報又はデータを他のデバイス又はチップに出力することができる。
【０１６７】
選択的に、上記チップは、本願の実施例におけるネットワークデバイスに適用されてもよく、かつ、上記チップは、本願の実施例の各方法におけるネットワークデバイスによって実行される対応するフローを実装できる。簡潔にするために、ここでは繰り返さない。
【０１６８】
選択的に、上記チップは、本願の実施例における移動端末デバイス／端末デバイスに適用されてもよく、チップは、本願の実施例の各方法における移動端末デバイス／端末デバイスによって実行される対応するフローを実装できる。簡潔にするために、ここでは繰り返さない。
【０１６９】
本願の実施例で言及されるチップは、システムオンチップ、システムチップ、チップシステム、又はシステムオンチップのチップとも呼ばれ得ることを理解されたい。
【０１７０】
本願の実施例はまた、コンピュータプログラムを記憶するためのコンピュータ読取可能な記憶媒体を提供する。
【０１７１】
選択的に、上記コンピュータ読取可能な記憶媒体は、本願の実施例の端末デバイスに適用でき、上記コンピュータプログラムは、本願の実施例の各方法で端末デバイスによって実装される対応するフローをコンピュータに実行させる。簡潔にするため、ここでは繰り返さない。
【０１７２】
本願の実施例はまた、コンピュータプログラム命令を含むコンピュータプログラム製品を提供する。
【０１７３】
選択的に、上記コンピュータプログラム製品は、本願の実施例の端末デバイスに適用でき、上記コンピュータプログラム命令は、本願の実施例の各方法で端末デバイスによって実装される対応するフローをコンピュータに実行させる。簡潔にするため、ここでは繰り返さない。
【０１７４】
本願の実施例はまた、コンピュータプログラムを提供する。
【０１７５】
選択的に、上記コンピュータプログラムは、本願の実施例における端末デバイスに適用でき、上記コンピュータプログラムがコンピュータ上で実行されると、本願の実施例における各方法で端末デバイスによって実装される対応するフローをコンピュータに実行させる。簡潔にするため、ここでは繰り返さない。
【０１７６】
当業者であれば、本明細書に開示された実施例に関連して説明された各例のユニット及びアルゴリズムステップが、電子ハードウェア、又はコンピュータソフトウェア及び電子ハードウェアの組み合わせで実現できることが認識される。これらの機能がハードウェアで実行されるかソフトウェアで実行されるかは、解決策の特定のアプリケーション及び設計上の制約条件によって異なる。当業者であれば、特定の用途ごとに異なる方法を使用して記載された機能を実現できるが、このような実現が本願の範囲を超えると考慮されるべきではない。
【０１７７】
当業者であれば、説明の便宜及び簡潔さのために、上述のシステム、装置、及びユニットの具体的な動作プロセスについては、前述の方法の実施例における対応するプロセスを参照することができ、ここで繰り返さないことを理解することができる。
【０１７８】
本発明に提供された幾つかの実施例において、開示されたシステム、装置及び方法は、他の方式で実現されてもよいことを理解されたい。例えば、上述のような装置の実施例は、単なる例にすぎず、例えば、上記ユニットの区分は、単なる論理的な機能による区分であり、実際に実現するときは他の区分方式であってもよく、例えば、複数のユニット又はコンポーネントが組み合わされるか又は別のシステムに集積されてもよく、或いは幾つかの特徴が省略され又は実行されなくてもよい。一方、示された又は検討された相互間の結合又は直接的な結合又は通信接続は、幾つかのインターフェイスを介してもよく、装置又はユニットによる間接的な結合又は通信接続は、電気的、機械的、又は他の形態であってもよい。
【０１７９】
前記分離部材として説明されたユニットは、物理的に分離されてもよく、物理的に分離されなくてもよく、ユニットとして示された部材は、物理的なユニットであってもよく、物理的なユニットでなくてもよく、つまり、あるところに位置してもよく、複数のネットワークユニット上に分散されてもよい。実際の需要に応じて、一部又は全部のユニットを選択し、本実施例の解決策の目的を実現することができる。
【０１８０】
なお、本願の各実施例に係る各機能ユニットは、１つの処理ユニットに集積されていてもよく、各ユニットが単独に物理的に存在していてもよく、２つ又は２つ以上のユニットが１つのユニットに集積されていてもよい。
【０１８１】
前記機能がソフトウェア機能ユニットの形で実現され、且つ独立した製品として販売又は使用される場合には、１つのコンピュータ読み取り可能な記憶媒体に格納されることができる。このような理解に基づき、本願の解決策は本質的に、従来技術に貢献した部分又は前記解決策の一部がソフトウェア製品の形で具現化されることができ、前記コンピュータソフトウェア製品は、１つの記憶媒体に格納され、１台のコンピュータデバイス（パーソナルコンピュータ、サーバ、又はネットワークデバイス等であってもよい）に本願の各実施例に記載の方法のステップの全部又は一部を実行させる命令を若干備える。前述の記憶媒体は、ＵＳＢメモリ、モバイルハードディスク、読み取り専用メモリ（Read-Only Memory，ROM）、ランダムアクセスメモリ（Random Access Memory，RAM）、磁気ディスク、又は光ディスク等のプログラムコードを格納可能な様々な媒体を含む。
【０１８２】
以上は、本願の好ましい実施例にすぎず、本願の保護範囲はこれらに限定されない。この技術分野の当業者であれば、いずれも本願に提示された技術範囲内で、変更又は置き換えを行うことを容易に想到でき、このような変更又は置き換えはいずれも本願の保護範囲に含まれるべきである。従って、本願の保護範囲は、特許請求の範囲に従うべきである。
【図１】
2021531672.tif 000003
【図２】
2021531672.tif 000004
【図３】
2021531672.tif 000005
【図４】
2021531672.tif 000006
【図５】
2021531672.tif 000007
【手続補正書】
【提出日】令和3年5月13日(2021.5.13)
【手続補正１】
【補正対象書類名】明細書
【補正対象項目名】全文
【補正方法】変更
【補正の内容】
【発明の詳細な説明】
【技術分野】
【０００１】
本願の実施例は、通信技術分野に関し、具体的に、下り信号の伝送方法及び端末デバイスに関する。
【背景技術】
【０００２】
新しい無線（New Radio，NR）システムでは、下り伝送のスループットを向上させるために、複数の伝送ポイント（Transmission/Reception Point，TRP）を展開して、端末デバイスに対して個別にスケジュールし、下りデータを伝送することができる。端末デバイスは、１スロット、１シンボル、又は複数のシンボルなどの一つの時間ユニットで複数の下り制御情報（Downlink Control Information，DCI）を同時に検出する必要があり、各ＤＣＩは、独立した物理下り共有チャネル（Physical Downlink Shared Channel，PDSCH）に対応して、対応するＰＤＳＣＨをそれぞれ検出する。
【０００３】
異なるＤＣＩによってスケジューリングされたＰＤＳＣＨは、例えば、１スロット又は１直交周波数分割多重（Orthogonal Frequency Division Multiplexing，OFDM）シンボルなどの同じ検出ウィンドウで伝送できる。各ＰＤＳＣＨはそれぞれ対応する受信ビームがあるため、これらのＰＤＳＣＨの受信ビームが異なる場合、端末デバイスはこれらのＰＤＳＣＨを受信するために異なる受信ビームを使用する必要がある。
【０００４】
ただし、例えば、端末デバイスにアンテナアレイが1つしかない場合など、端末デバイスは、同じ検出ウィンドウ内でＰＤＳＣＨを受信するために1つの受信ビームのみを使用する場合がある。従って、端末デバイスで複数のＰＤＳＣＨを受信する方法は、早急に解決する必要のある問題である。同様に、物理下り共有チャネル（Physical Downlink Shared Channel，PDSCH）、チャネル状態情報参照信号（Channel State Information Reference Signal，CSI-RS）などの他の下り信号にも同様の問題がある。
【発明の概要】
【０００５】
本願の実施例は、端末デバイスによる複数の下り信号の受信を実現することができる下り信号の伝送方法及び端末デバイスを提供する。
【０００６】
第１の態様は、端末デバイスが第１の検出ウィンドウ内で少なくとも２つの下り信号を受信する必要があると決定するステップと、前記端末デバイスが前記少なくとも２つの下り信号の伝送情報に従って、前記少なくとも２つの下り信号の受信モードを決定するステップと、前記端末デバイスが前記少なくとも２つの下り信号の受信モードに従って、前記第１の検出ウィンドウ内で前記少なくとも２つの下り信号のうちの少なくとも１つの下り信号を受信するステップとを含み、前記伝送情報は、前記少なくとも２つの下り信号のスケジューリング情報、伝送構成、又は運ばれる情報のうちの少なくとも１つを含む下り信号の伝送方法が提供される。
【０００７】
第２の態様は、端末デバイスを提供し、上記第１の態様又はその各実現形態における方法を実行する。
【０００８】
具体的に、上記端末デバイスは、上記第１の態様又はその各実現形態における方法を実行するための機能モジュールを備える。
【０００９】
第３の態様は、端末デバイスを提供し、プロセッサ及びメモリを備える。前記メモリはコンピュータプログラムを格納し、前記プロセッサは、前記メモリに格納されたコンピュータプログラムを呼び出して実行することで、上記第１の態様又はその各実現形態における方法を実行する。
【００１０】
第４の態様は、チップを提供し、上記第１の態様又はその各実現形態における方法を実現する。
【００１１】
具体的に、前記チップは、メモリからコンピュータプログラムを呼び出して実行することで、上記第１の態様又はその各実現形態における方法を前記チップがインストールされたデバイスに実行させるプロセッサを備える。
【００１２】
第５の態様は、コンピュータ読み取り可能な記憶媒体を提供し、上記第１の態様又はその各実現形態における方法をコンピュータに実行させるコンピュータプログラムを記憶する。
【００１３】
第６の態様は、コンピュータプログラム製品を提供し、上記第１の態様又はその各実現形態における方法をコンピュータに実行させるコンピュータプログラム命令を含む。
【００１４】
第７の態様は、コンピュータプログラムを提供し、上記第１の態様又はその各実現形態における方法をコンピュータに実行させる。
【００１５】
上記解決策を通じて、端末デバイスは、第１の検出ウィンドウ内で少なくとも２つの下り信号を受信する必要があると判断し、次に、前記少なくとも２つの下り信号の伝送情報に従って、前記少なくとも２つの下り信号の受信モードを決定することで、前記端末デバイスは、前記少なくとも２つの下り信号の受信モードに従って、前記第１の検出ウィンドウ内で前記少なくとも２つの下り信号のうちの少なくとも１つの下り信号を受信することができ、それによって端末デバイスによる複数の下り信号の受信が実現される。
【図面の簡単な説明】
【００１６】
本発明の実施例における技術的解決策をより明確に説明するために、以下は、実施例又は先行技術の説明に必要な図面を簡単に紹介する。明らかに、以下の説明の図面は、本発明のいくつかの実施例であり、当業者は、創造的な努力なしに、これらの図面から他の図面を導き出すこともできる。
【図１】本願の実施例によって提供される通信システムアーキテクチャの概略図である。
【図２】本願の実施例によって提供される下り信号の伝送方法の概略図である。
【図３】本願の実施例によって提供される端末デバイスの概略ブロック図である。
【図４】本願の実施例によって提供される端末デバイスの概略ブロック図である。
【図５】本願の実施例によって提供されるチップの概略ブロック図である。
【発明を実施するための形態】
【００１７】
以下、本願の実施例における解決策を、本願の実施例における図面と併せて説明するが、説明される実施例は、すべての実施例ではなく、本願の実施例の一部であることは明らかである。本願の実施例に基づいて、創造的な作業なしに当業者によって得られる他のすべての実施例は、いずれも本願の保護範囲内にある。
【００１８】
本願の実施例の解決策は、例えばグローバルモバイル通信（Global System of Mobile communication，GSM）システム、符号分割多元接続（Code Division Multiple Access，CDMA）システム、広帯域符号分割多元接続（Wideband Code Division Multiple Access，WCDMA）システム、汎用パケット無線サービス（General Packet Radio Service，GPRS）、ロングタームエボリューション（Long Term Evolution，LTE）システム、ＬＴＥ周波数分割複信（Frequency Division Duplex，FDD）システム、ＬＴＥ時分割複信（Time Division Duplex，TDD）、ユニバーサル移動通信システム（Universal Mobile Telecommunication System，UMTS）、マイクロ波アクセス用世界的相互運用性（Worldwide Interoperability for Microwave Access，WiMAX）通信システム又は５Ｇシステム等の様々な通信システムに適用することができる。
【００１９】
例示的に、本願の実施例で適用される通信システム１００が図１に示されている。 この通信システム１００は、ネットワークデバイス１１０を含むことができ、ネットワークデバイス１１０は、端末デバイス１２０（又は通信端末デバイス、端末デバイスと呼ばれる）と通信するデバイスであってもよい。ネットワークデバイス１１０は、特定の地理的領域に通信カバレッジを提供することができ、このカバレッジ領域内の端末デバイスと通信することができる。選択的に、このネットワークデバイス１１０は、ＧＳＭシステム又はＣＤＭＡシステムにおける基地局（Base Transceiver Station，BTS）であってもよく、ＷＣＤＭＡシステムにおける基地局（NodeB，NB）であってもよく、また、ＬＴＥシステムにおける進化型基地局（Evolutional Node B，eNB又はeNodeB）、又はクラウド無線アクセスネットワーク（Cloud Radio Access Network，CRAN）における無線コントローラであってもよく、又はこのネットワークデバイスは、モバイル交換センター、中継局、アクセスポイント、車載デバイス、ウェアラブルデバイス、ハブ、スイッチ、ブリッジ、ルーター、５Ｇネットワークにおけるネットワーク側デバイス、又は未来進化の公衆地上移動ネットワーク（Public Land Mobile Network，PLMN）におけるネットワークデバイス等であってもよい。
【００２０】
この通信システム１００は、ネットワークデバイス１１０のカバレッジ内の少なくとも１つの端末デバイス１２０をさらに含む。ここで使用される「端末デバイス」として、公衆電話交換網（Public Switched Telephone Networks，PSTN）、デジタル加入者線（Digital Subscriber Line，DSL）、デジタルケーブル、直接ケーブル接続などの有線回線を介して接続されたデバイスが含まれるが、これに限定されず、及び/又は別のデータ接続/ネットワーク、及び/又はセルラーネットワーク、無線ローカルエリアネットワーク（Wireless Local Area Network，WLAN）、ＤＶＢ−ＨネットワークなどのデジタルＴＶネットワーク、衛星ネットワーク、ＡＭ−ＦＭ放送送信機などの無線インターフェイスを介して接続されたデバイス、及び/又は通信信号を受信/送信するように設定された別の端末デバイスの装置、及び/又はモノのインターネット（Internet of Things，IoT）デバイスも含まれる。無線インターフェースを介して通信するように設定された端末デバイスは、「無線通信端末デバイス」、「無線端末デバイス」又は「モバイル端末デバイス」と呼ばれてもよい。モバイル端末デバイスの例としては、衛星又は携帯電話、携帯電話が含まれるが、これらに限定されず、セルラー無線電話にデータ処理、ファクシミリ、及びデータ通信機能を組み込むことができるパーソナル通信システム（Personal Communications System，PCS）端末；無線電話、ポケットベル、インターネット/イントラネットアクセス、Ｗｅｂブラウザー、メモ帳、カレンダー、及び/又は全地球測位システム（Global Positioning System，GPS）受信機を含むことができるＰＤＡ；及び従来のラップトップ及び/又はパームトップ受信機、又は無線電話トランシーバーを含む他の電子デバイスが含まれる。端末デバイスは、アクセス端末デバイス、ユーザーデバイス（User Equipment，UE）、ユーザーユニット、ユーザーステーション、モバイルステーション、移動局、リモートステーション、リモート端末デバイス、モバイルデバイス、ユーザー端末デバイス、端末デバイス、無線通信デバイス、ユーザーエージェント、又はユーザー装置を指すことができる。アクセス端末デバイスは、携帯電話、コードレス電話、セッション開始プロトコル（Session Initiation Protocol，SIP）電話、ワイヤレスローカルループ（Wireless Local Loop，WLL）ステーション、パーソナルデジタルアシスタント（Personal Digital Assistant，PDA）、無線通信を備えたハンドヘルドデバイス、コンピューティングデバイス又は無線モデムに接続された他の処理デバイス、車載デバイス、ウェアラブルデバイス、５Ｇネットワークにおける端末デバイス、又は将来進化のＰＬＭＮにおける端末デバイスなどであってよい。
【００２１】
選択的に、端末デバイス１２０間で端末デバイス直接接続（Device to Device，D2D）通信が実行されてもよい。
【００２２】
選択的に、５Ｇシステム又は５Ｇネットワークは、新しい無線（New Radio，NR）システム又はＮＲネットワークと呼ばれてもよい。
【００２３】
図１には、１つのネットワークデバイス及び２つの端末デバイスが例示的に示され、選択的に、この通信システム１００は、複数のネットワークデバイスを含んでもよく、各ネットワークデバイスは、カバレッジ内に他の数の端末デバイスを含んでもよく、本願の実施例はこれを限定しない。
【００２４】
選択的に、この通信システム１００は、ネットワークコントローラ、モビリティ管理エンティティ等の他のネットワークエンティティをさらに含んでもよく、本願の実施例はこれを限定しない。
【００２５】
本願の実施例におけるネットワーク／システムで通信機能を有するデバイスは、通信デバイスと呼ばれてよいことを理解されたい。図１に示す通信システム１００を例として、通信デバイスは、通信機能を有するネットワークデバイス１１０と端末デバイス１２０とを含み得る。ネットワークデバイス１１０及び端末デバイス１２０は、前記の特定のデバイスであってもよく、ここでは繰り返さない。通信デバイスは、ネットワークコントローラ、モビリティ管理エンティティなどの他のネットワークエンティティなど、通信システム１００内の他のデバイスをさらに含んでもよく、本願の実施例はこれを限定しない。
【００２６】
本明細書で、「システム」と「ネットワーク」という用語はしばしば互換的に使用されることを理解されたい。本明細書で使用される「及び／又は」という用語は、関連対象の関連関係を説明するだけであり、３種類の関係があり得ることを示す。例えば、Ａ及び/又はＢは、Ａが単独で存在する、ＡとＢが同時に存在する、Ｂが単独で存在する３つのケースを示すことができる。また、本明細書で使用される「/」の表記は、一般的に、この表記の前後の関連対象が「又は」の関係にあることを示す。
【００２７】
図２は、本願の実施例によって提供される下り信号の伝送方法２００の概略図である。
【００２８】
２１０において、端末デバイスは、第１の検出ウィンドウ内で少なくとも２つの下り信号を受信する必要があると判断する。
【００２９】
２２０において、前記端末デバイスは、前記少なくとも２つの下り信号の伝送情報に従って、前記少なくとも２つの下り信号の受信モードを決定する。ここで、前記伝送情報は、前記少なくとも２つの下り信号のスケジューリング情報、伝送構成、又は運ばれる情報の少なくとも1つを含む。
【００３０】
２３０において、前記端末デバイスは、前記少なくとも２つの下り信号の受信モードに従って、前記第１の検出ウィンドウ内で前記少なくとも２つの下り信号のうちの少なくとも１つの下り信号を受信する。
【００３１】
なお、本発明に関する前記下り信号は、物理下り共有チャネル（Physical Downlink Shared Channel，PDSCH）、物理下り制御チャネル（Physical Downlink Control Channel，PDCCH）、又はチャネル状態情報参照信号（Channel State Information Reference Signal，CSI-RS）を含み得るが、これらに限定されず、本実施例はこれを特に限定しない。
【００３２】
選択的に、本実施例の一可能な実現形態において、前記伝送構成は、以下を含み得るが、これらに限定されない：
対応する下り信号を受信するために使用される受信ビーム、及び/又は
対応する下り信号を受信するために使用される準コロケーション（Quasi-Co-Located，QCL）タイプＤ（type D）の参照信号、及び/又は
対応する下り信号を受信するために使用される伝送構成インジケータ（Transmission Configuration Indicator，TCI）状態、及び/又は
対応する下り信号を受信するために想定されるマッピングタイプ、及び/又は
対応する下り信号を受信するために使用される時間ウィンドウ。
【００３３】
選択的に、本実施例の一可能な実現形態において、前記少なくとも２つの下り信号のそれぞれは、独立した下り制御情報（Downlink Control Information，DCI）によってスケジュールされ得る。非周期的ＣＳＩ−ＲＳの場合、独立したＤＣＩによってトリガーされ得る。
【００３４】
具体的には、前記独立したＤＣＩは、異なる時間に受信されたＤＣＩであってよく、或いは、異なるＤＣＩフォーマットを使用するＤＣＩであってよいが、本実施例はこれを特に限定しない。
【００３５】
選択的に、本実施例の一可能な実現形態において、前記少なくとも２つの下り信号における異なる下り信号によって占有される物理リソースがオーバーラップし、従って、これらのＰＤＳＣＨは、第１の検出ウィンドウで同時に端末デバイスによって受信され得ない。
【００３６】
選択的に、本実施例の一可能な実現形態において、前記少なくとも２つの下り信号における異なる下り信号は、異なる伝送構成を有する。従って、端末デバイスは、第１の検出ウィンドウにおいて１つの伝送構成のみを使用でき、各ＰＤＳＣＨのそれぞれの伝送構成を使用して各ＰＤＳＣＨを受信することはできない。
【００３７】
例えば、前記少なくとも２つの下り信号における異なる下り信号の伝送構成インジケータ（Transmission Configuration Indicator，TCI）状態に含まれる参照信号が異なる。
【００３８】
或いは、別の例として、前記少なくとも２つの下り信号における異なる下り信号のＴＣＩ状態に含まれる準コロケーション（Quasi-Co-Located，QCL）タイプＤ（type D）の参照信号が異なる。
【００３９】
或いは、別の例として、前記少なくとも２つの下り信号における異なる下り信号のＴＣＩ状態に含まれるＱＣＬタイプＤの参照信号はＱＣＬではない。
【００４０】
選択的に、本実施例の一可能な実現形態において、前記第１の検出ウィンドウは、以下の時間ユニットを含み得るが、これらに限定されない：
一つのスロット、又は
少なくとも２つのスロット、又は
一つの直交周波数分割多重（Orthogonal Frequency Division Multiplexing，OFDM）シンボル、又は
少なくとも２つのＯＦＤＭシンボル。
【００４１】
例えば、下り信号の例としてＰＤＳＣＨを取り上げると、第１の検出ウィンドウは１スロットであり得る。端末デバイスが1スロットに複数のＰＤＳＣＨがスケジュールされ、かつ複数のＰＤＳＣＨが占める物理リソースがオーバーラップする場合、端末デバイスは複数のＰＤＳＣＨを同時に復調できない可能性があり、受信の優先順位を明確にする必要がある。端末デバイスが1スロットに複数のＰＤＳＣＨがスケジュールされ、かつ複数のＰＤＳＣＨのＱＣＬタイプＤの参照信号が異なる場合（即ち、異なる受信ビームを使用して受信する必要がある）、端末デバイスはこの時間ウィンドウ内で複数の受信ビームを同時に使用してこれらのＰＤＳＣＨを受信できない可能性があり、受信に単一の受信ビームしか使用できず、このとき、受信の優先順位を明確にする必要がある。
【００４２】
或いは、別の例として、下り信号の例としてＰＤＳＣＨを取り上げると、第１の検出ウィンドウは、端末デバイスが一つのＤＣＩを検出してから当該ＤＣＩによってスケジュールされたＰＤＳＣＨの伝送が完了するまでの一つの時間ウィンドウであってもよく、端末デバイスがこの時間ウィンドウ内に別のＤＣＩを受信して当該時間ウィンドウ内で別のＰＤＳＣＨを伝送する必要がある場合、端末デバイスは当該時間ウィンドウ内に２つのＰＤＳＣＨを同時に受信する必要があり、且つ当該２つのＰＤＳＣＨの伝送構成が異なる可能性があり、端末デバイスは必ずしも当該時間ウィンドウで伝送構成を切り替えられる時間がないので、受信の優先順位を明確にする必要がある。
【００４３】
或いは、別の例として、下り信号の例としてＰＤＳＣＨを取り上げると、第１の検出ウィンドウは、Ｔの時間長を有する時間ウィンドウであってよく、ここで、Ｔは、端末デバイスが受信ビームを切り替えるのに必要な時間である。端末デバイスが一つの時間ウィンドウで２つのＰＤＳＣＨを同時に受信する必要があり、且つ当該２つのＰＤＳＣＨのＱＣＬタイプＤの参照信号が異なる場合（即ち、異なる受信ビームを使用して受信する必要がある）、端末デバイスはこの時間ウィンドウ内で異なる受信ビームを同時に使用して当該２つのＰＤＳＣＨを受信できない可能性があり、受信の優先順位を明確にする必要がある。
【００４４】
選択的に、本実施例の一可能な実現形態において、２２０において、前記端末デバイスは、具体的に、前記少なくとも２つの下り信号の伝送情報に従って、前記少なくとも２つの下り信号のうちの少なくとも１つの下り信号を受信するかどうかを決定してもよく、又は前記少なくとも２つの下り信号の伝送情報に従って前記少なくとも２つの下り信号のうちの少なくとも１つの下り信号を受信するために使用される伝送構成を決定してもよく、本実施例ではこれを特に限定しない。
【００４５】
なお、ここでの伝送構成は、ＰＤＳＣＨを受信するための受信ビーム、又はＰＤＳＣＨのＴＣＩ状態に含まれる参照信号、又は参照としてのＱＣＬタイプＤの参照信号であってよく、本実施例ではこれを特に限定しない。
【００４６】
本発明に関する参照信号は、ＣＳＩ−ＲＳ、ＳＳＢ、又はトラッキング参照信号（Tracking RS，TRS）を含み得るが、これらに限定されず、本実施例ではこれを特に限定しない。
【００４７】
その中で、プライマリ同期信号（Primary Synchronization Signal，PSS）、セコンダリー同期信号（Secondary Synchronization Signal，SSS）及び物理放送チャネル（Physical Broadcast Channel，PBCH）は一緒に同期信号ブロック（Synchronization Signal Block，SSB）、即ちＳＳ／ＰＢＣＨブロックを形成する。
【００４８】
選択的に、本実施例の一可能な実現形態において、２２０において、前記伝送情報は、前記少なくとも２つの下り信号のスケジューリング情報を含み、前記端末デバイスは、以下の方法で前記少なくとも２つ下り信号のそれぞれの受信モードを決定することができる。
【００４９】
一具体的な実装プロセスでは、前記端末デバイスは、前記少なくとも２つの下り信号をスケジューリングするためのＤＣＩの受信順序に従って、前記少なくとも２つの下り信号の受信モードを決定することができる。
【００５０】
例えば、下り信号の例としてＰＤＳＣＨを取り上げると、端末デバイスは、先に受信したＤＣＩによってスケジュールされたＰＤＳＣＨを受信し、後で受信したＤＣＩによってスケジュールされたＰＤＳＣＨを受信しない。
【００５１】
又は、別の例として、下り信号の例としてＰＤＳＣＨを取り上げると、端末デバイスは、先に受信したＤＣＩでスケジュールされたＰＤＳＣＨの伝送構成（例えば、ＱＣＬタイプＤの参照信号又は受信ビーム）を使用して、前記少なくとも２つのＰＤＳＣＨを受信する。
【００５２】
別の具体的な実装プロセスでは、前記端末デバイスは、前記少なくとも２つの下り信号をスケジュールするＤＣＩのＤＣＩフォーマット（DCI format）に従って、前記少なくとも２つの下り信号の受信モードを決定する。
【００５３】
例えば、下り信号の例としてＰＤＳＣＨを取り上げると、端末デバイスは、前記少なくとも２つのＰＤＳＣＨのうち、ＤＣＩフォーマット１＿０によってスケジュールされたＰＤＳＣＨを優先的に受信し、ＤＣＩフォーマット１＿１によってスケジュールされたＰＤＳＣＨを受信しない。
【００５４】
又は、別の例として、下り信号の例としてＰＤＳＣＨを取り上げると、端末デバイスは、前記少なくとも２つのＰＤＳＣＨのうち、ＤＣＩフォーマット１＿０によってスケジュールされたＰＤＳＣＨの伝送構成（例えば、ＱＣＬタイプＤの参照信号又は受信ビーム）を使用して、前記少なくとも２つのＰＤＳＣＨ（ＤＣＩフォーマット１＿１によってスケジュールされたＰＤＳＣＨを含む）を受信する。
【００５５】
別の具体的な実装プロセスでは、前記端末デバイスは、前記少なくとも２つの下り信号をスケジュールするＤＣＩの巡回冗長チェックコードＣＲＣスクランブリングモードに従って、前記少なくとも２つの下り信号の受信モードを決定する。
【００５６】
例えば、下り信号の例としてＰＤＳＣＨを取り上げると、端末デバイスは、前記少なくとも２つのＰＤＳＣＨの中でセル無線ネットワーク一時識別子（Cell Radio Network Temporary Identifier，C-RNTI）によってスクランブルされたＤＣＩによってスケジュールされたＰＤＳＣＨを優先的に受信し、回線交換ＲＮＴＩ（Circuit Switched Radio Network Temporary Identifier，CS-RNTI）によってスクランブルされたＤＣＩによってスケジュールされたＰＤＳＣＨを受信しない。
【００５７】
又は、別の例として、下り信号の例としてＰＤＳＣＨを取り上げると、端末デバイスは、前記少なくとも２つのＰＤＳＣＨの中でＣ−ＲＮＴＩによってスクランブルされたＤＣＩによってスケジュールされたＰＤＳＣＨの伝送構成（例えば、ＱＣＬタイプＤの参照信号又は受信ビーム）を使用して、前記少なくとも２つのＰＤＳＣＨ（ＣＳ−ＲＮＴＩによってスクランブルされたＤＣＩを使用してスケジュールされたＰＤＳＣＨを含む）を受信する。
【００５８】
別の具体的な実装プロセスでは、前記端末デバイスは、前記少なくとも２つの下り信号をスケジュールするためのＤＣＩが位置するサーチスペース又は制御リソースセット（CORESET）に従って、前記少なくとも２つの下り信号の受信モードを決定する。
【００５９】
例えば、下り信号の例としてＰＤＳＣＨを取り上げると、端末デバイスは、共通サーチスペースで検出されたＤＣＩによってスケジュールされたＰＤＳＣＨを優先的に受信し、ユーザーデバイス（User Equipment，UE）固定サーチスペースで検出されたＤＣＩによってスケジュールされたＰＤＳＣＨを受信しない。
【００６０】
又は、別の例として、下り信号の例としてＰＤＳＣＨを取り上げると、端末デバイスは、共通サーチスペースで検出されたＤＣＩによってスケジュールされたＰＤＳＣＨの伝送構成（例えば、ＱＣＬタイプＤの参照信号又は受信ビーム）を採用して、前記少なくとも２つのＰＤＳＣＨ（ＵＥ固有サーチスペースで検出されたＤＣＩによってスケジュールされたＰＤＳＣＨを含む）を受信する。
【００６１】
別の具体的な実装プロセスでは、前記端末デバイスは、前記少なくとも２つの下り信号のそれぞれの下り信号をスケジュールするＤＣＩとスケジュールされた下り信号との間の時間間隔に従って、前記少なくとも２つの下り信号のそれぞれの下り信号の受信モードを決定する。
【００６２】
例えば、下り信号の例としてＰＤＳＣＨを取り上げると、端末デバイスは、ＰＤＳＣＨをスケジュールするＤＣＩとスケジュールされたＰＤＳＣＨとの間の時間間隔が短いＰＤＳＣＨを優先的に受信し、ＰＤＳＣＨをスケジュールするＤＣＩとスケジュールされたＰＤＳＣＨとの間の時間間隔が長いＰＤＳＣＨを受信しない。
【００６３】
又は、別の例として、下り信号の例としてＰＤＳＣＨを取り上げると、端末デバイスは、前記少なくとも２つのＰＤＳＣＨのうち、ＰＤＳＣＨをスケジュールするＤＣＩとスケジュールされたＰＤＳＣＨとの間の時間間隔が短いＰＤＳＣＨの伝送構成（例えば、ＱＣＬタイプＤの参照信号又は受信ビーム）を採用して、前記少なくとも２つのＰＤＳＣＨ（ＰＤＳＣＨをスケジュールするＤＣＩとスケジュールされたＰＤＳＣＨの間の時間間隔が長いＰＤＳＣＨを含む）を受信する。
【００６４】
具体的には、前記端末デバイスは具体的に、前記少なくとも２つの下り信号のそれぞれをスケジュールするＤＣＩとスケジュールされた下り信号との間の時間間隔が、事前に設定された第１の時間閾値よりも大きいかどうかに応じて、前記少なくとも２つの下り信号のそれぞれの受信モードを決定し得る。
【００６５】
ここで、前記第１の時間閾値は、端末デバイスによって報告された時間長又はネットワークデバイスによって構成された時間長であり得るが、本実施例はこれを特に限定しない。
【００６６】
例えば、端末デバイスは、ＰＤＳＣＨをスケジュールするＤＣＩとＰＤＳＣＨとの間の時間間隔が事前に設定された第１の時間閾値を超えるＰＤＳＣＨを優先的に受信し、ＰＤＳＣＨをスケジュールするＤＣＩとＰＤＳＣＨとの間の時間間隔が事前に設定された第１の時間閾値よりも小さいＰＤＳＣＨを受信しない。事前に設定された第１の時間閾値を超える又は下回るＰＤＳＣＨが複数ある場合は、他の条件に従って判断することができる。
【００６７】
又は、別の例として、端末デバイスは、前記少なくとも２つのＰＤＳＣＨのうち、ＰＤＳＣＨをスケジュールするＤＣＩとＰＤＳＣＨとの間の時間間隔が事前に設定された第１の時間閾値を超えるＰＤＳＣＨの伝送構成（例えば、ＱＣＬタイプＤの参照信号又は受信ビーム）を採用して、前記少なくとも２つのＰＤＳＣＨ（ＰＤＳＣＨをスケジュールするＤＣＩとＰＤＳＣＨとの間の時間間隔が事前に設定された第１の時間閾値よりも小さいＰＤＳＣＨを含む）を受信し、事前に設定された第１の時間閾値を超える又は下回るＰＤＳＣＨが複数ある場合は、他の条件に従って判断することができる。
【００６８】
選択的に、本実施例の一可能な実現形態において、２２０において、前記伝送情報には、前記少なくとも２つの下り信号の伝送構成が含まれ、前記端末デバイスは、以下の方法で前記少なくとも２つの下り信号のそれぞれの受信モードを決定することができる。
【００６９】
一具体的な実装プロセスでは、前記端末デバイスは、前記少なくとも２つの下り信号のＴＣＩ状態にＱＣＬタイプＤの参照信号が含まれているかどうかに応じて、前記少なくとも２つの下り信号の受信モードを決定する。
【００７０】
例えば、下り信号の例としてＰＤＳＣＨを取り上げると、端末デバイスは、前記少なくとも２つのＰＤＳＣＨのうち、対応するＴＣＩ状態にＱＣＬタイプＤの参照信号が含まれるＰＤＳＣＨを優先的に受信し、対応するＴＣＩ状態にＱＣＬタイプＤの参照信号が含まれていないＰＤＳＣＨを受信しない。
【００７１】
又は、別の例として、下り信号の例としてＰＤＳＣＨを取り上げると、端末デバイスは、前記少なくとも２つのＰＤＳＣＨのうち、対応するＴＣＩ状態にＱＣＬタイプＤの参照信号が含まれるＰＤＳＣＨの伝送構成（例えば、ＱＣＬタイプＤの参照信号又は受信ビーム）を採用して、前記少なくとも２つのＰＤＳＣＨ（対応するＴＣＩ状態にＱＣＬタイプＤの参照信号が含まれていないＰＤＳＣＨを含む）を受信する。
【００７２】
別の具体的な実装プロセスでは、前記端末デバイスは、前記少なくとも２つの下り信号のＴＣＩ状態に含まれる参照信号のタイプに従って、前記少なくとも２つの下り信号の受信モードを決定する。
【００７３】
例えば、下り信号の例としてＰＤＳＣＨを取り上げると、端末デバイスは、前記少なくとも２つのＰＤＳＣＨのうち、対応するＴＣＩ状態に含まれる参照信号がＣＳＩ−ＲＳであるＰＤＳＣＨを優先的に受信し、対応するＴＣＩ状態に含まれる参照信号が同期信号ブロック（Synchronization Signal Block，SSB）であるＰＤＳＣＨを受信しない。
【００７４】
又は、別の例として、下り信号の例としてＰＤＳＣＨを取り上げると、端末デバイスは、前記少なくとも２つのＰＤＳＣＨのうち、対応するＴＣＩ状態に含まれる参照信号がＣＳＩ−ＲＳであるＰＤＳＣＨの伝送構成（例えば、ＱＣＬタイプＤの参照信号又は受信ビーム）を採用して、前記少なくとも２つのＰＤＳＣＨ（対応するＴＣＩ状態に含まれる参照信号がＳＳＢであるＰＤＳＣＨを含む）を受信する。
【００７５】
別の具体的な実装プロセスでは、前記端末デバイスは、前記少なくとも２つの下り信号のＴＣＩ状態に含まれるＱＣＬタイプＤの参照信号のタイプに従って、前記少なくとも２つの下り信号の受信モードを決定する。
【００７６】
例えば、下り信号の例としてＰＤＳＣＨを取り上げると、端末デバイスは、前記少なくとも２つのＰＤＳＣＨのうち、対応するＴＣＩ状態に含まれるＱＣＬタイプＤの参照信号がＣＳＩ−ＲＳであるＰＤＳＣＨを優先的に受信し、対応するＴＣＩ状態に含まれるＱＣＬタイプＤの参照信号がＳＳＢであるＰＤＳＣＨを受信しない。
【００７７】
又は、別の例として、下り信号の例としてＰＤＳＣＨを取り上げると、端末デバイスは、前記少なくとも２つのＰＤＳＣＨのうち、対応するＴＣＩ状態に含まれるＱＣＬタイプＤの参照信号がＣＳＩ−ＲＳであるＰＤＳＣＨの伝送構成（例えば、ＱＣＬタイプＤの参照信号又は受信ビーム）を採用して、前記少なくとも２つのＰＤＳＣＨ（対応するＴＣＩ状態に含まれるＱＣＬタイプＤの参照信号がＳＳＢであるＰＤＳＣＨを含む）を受信する。
【００７８】
別の具体的な実装プロセスでは、前記端末デバイスは、前記少なくとも２つの下り信号のマッピングタイプ（mapping type）に従って、前記少なくとも２つの下り信号の受信モードを決定する。ここで、マッピングタイプは主にＰＤＳＣＨのマッピングタイプを指し、異なるマッピングタイプは異なるＰＤＳＣＨ開始シンボルとＰＤＳＣＨ持続時間（シンボル数）に対応することができる。
【００７９】
例えば、下り信号の例としてＰＤＳＣＨを取り上げると、端末デバイスは、前記少なくとも２つのＰＤＳＣＨのうち、マッピングタイプがタイプＢ（type B）であるＰＤＳＣＨを優先的に受信し、マッピングタイプがタイプＡ（type A）であるＰＤＳＣＨを受信しない。
【００８０】
又は、別の例として、下り信号の例としてＰＤＳＣＨを取り上げると、端末デバイスは、前記少なくとも２つのＰＤＳＣＨのうち、マッピングタイプがタイプＢであるＰＤＳＣＨの伝送構成（例えば、ＱＣＬタイプＤの参照信号又は受信ビーム）を採用して、前記少なくとも２つのＰＤＳＣＨ（マッピングタイプがタイプＡであるＰＤＳＣＨを含む）を受信する。
【００８１】
別の具体的な実装プロセスでは、前記端末デバイスは、前記少なくとも２つの下り信号の持続時間長（duration）に従って、前記少なくとも２つの下り信号の受信モードを決定する。
【００８２】
例えば、下り信号の例としてＰＤＳＣＨを取り上げると、端末デバイスは、前記少なくとも２つのＰＤＳＣＨのうち、持続時間の短いＰＤＳＣＨを優先的に受信し、持続時間の長いＰＤＳＣＨを受信しない。逆に、端末デバイスは、前記少なくとも２つのＰＤＳＣＨのうち、持続時間の長いＰＤＳＣＨを優先的に受信し、持続時間の短いＰＤＳＣＨを受信しなくてもよい。
【００８３】
又は、別の例として、下り信号の例としてＰＤＳＣＨを取り上げると、端末デバイスは、前記少なくとも２つのＰＤＳＣＨのうち、持続時間の短いＰＤＳＣＨの伝送構成（例えば、ＱＣＬタイプＤの参照信号又は受信ビーム）を採用して、前記少なくとも２つのＰＤＳＣＨ（持続時間の長いＰＤＳＣＨを含む）を受信する。逆に、端末デバイスは、前記少なくとも２つのＰＤＳＣＨのうち、持続時間の長いＰＤＳＣＨの伝送構成（例えば、ＱＣＬタイプＤの参照信号又は受信ビーム）を採用して、前記少なくとも２つのＰＤＳＣＨ（持続時間の短いＰＤＳＣＨを含む）を受信してもよい。
【００８４】
選択的に、本実施例の一可能な実現形態において、２２０において、前記伝送情報には、前記少なくとも２つの下り信号によって運ばれる情報が含まれ、前記端末デバイスは、以下の方法で前記少なくとも２つの下り信号のそれぞれの受信モード決定することができる。
【００８５】
一具体的な実装プロセスでは、前記端末デバイスは、前記少なくとも２つの下り信号がシステム情報を運ぶかどうかに応じて、前記少なくとも２つの下り信号の受信モードを決定する。
【００８６】
例えば、下り信号の例としてＰＤＳＣＨを取り上げると、端末デバイスは、前記少なくとも２つのＰＤＳＣＨのうち、システム情報を運ぶＰＤＳＣＨを優先的に受信し、通常のデータのみを運ぶＰＤＳＣＨを受信しない。
【００８７】
又は、別の例として、下り信号の例としてＰＤＳＣＨを取り上げると、端末デバイスは、前記少なくとも２つのＰＤＳＣＨのうち、システム情報を運ぶＰＤＳＣＨの伝送構成（例えば、ＱＣＬタイプＤの参照信号又は受信ビーム）を採用して、前記少なくとも２つのＰＤＳＣＨ（システム情報を運ばないＰＤＳＣＨを含む）を受信する。
【００８８】
別の具体的な実装プロセスでは、前記端末デバイスは、前記少なくとも２つの下り信号が上位レイヤシグナリングを運ぶかどうかに従って、前記少なくとも２つの下り信号の受信モードを決定する。
【００８９】
例えば、下り信号の例としてＰＤＳＣＨを取り上げると、端末デバイスは、前記少なくとも２つのＰＤＳＣＨのうち、上位レイヤシグナリングを運ぶＰＤＳＣＨを優先的に受信し、通常のデータのみを運ぶＰＤＳＣＨを受信しない。
【００９０】
又は、別の例として、下り信号の例としてＰＤＳＣＨを取り上げると、端末デバイスは、前記少なくとも２つのＰＤＳＣＨのうち、上位レイヤシグナリングを運ぶＰＤＳＣＨの伝送構成（例えば、ＱＣＬタイプＤの参照信号又は受信ビーム）を採用して、前記少なくとも２つのＰＤＳＣＨ（上位レイヤシグナリングを運ばないＰＤＳＣＨを含む）を受信する。
【００９１】
端末デバイスは、様々な実現形態および実装プロセスにおける上記の技術的解決策を組み合わせることによって、前記少なくとも２つの下り信号のそれぞれの受信モードを決定できることが理解でき、本実施例ではこれを特に限定しない。
【００９２】
選択的に、本実施例の一可能な実現形態において、２２０において、具体的に、前記端末デバイスは、前記少なくとも２つの下り信号の伝送情報に従って、前記少なくとも２つの下り信号のそれぞれの優先度を決定でき、さらに、前記各下り信号の優先度に従って、前記少なくとも２つの下り信号の受信モードを決定できる。
【００９３】
一具体的な実装プロセスでは、具体的に、前記端末デバイスは、前記少なくとも２つの下り信号をスケジューリングするＤＣＩの受信順序に基づいて、又は、前記少なくとも２つの下り信号をスケジューリングするＤＣＩのＤＣＩフォーマットに基づいて、又は、前記少なくとも２つの下り信号をスケジューリングするＤＣＩのＣＲＣスクランブリングモードに基づいて、又は、前記少なくとも２つの下り信号をスケジューリングするＤＣＩが位置するサーチスペース又は制御リソースセットに基づいて、又は、前記少なくとも２つの下り信号のそれぞれをスケジューリングするＤＣＩとスケジュールされた下り信号との間の時間間隔に基づいて、又は、前記少なくとも２つの下り信号のＴＣＩ状態にＱＣＬタイプＤの参照信号が含まれるかどうかに基づいて、又は、前記少なくとも２つの下り信号のＴＣＩ状態に含まれる参照信号のタイプに基づいて、又は、前記少なくとも２つの下り信号のＴＣＩ状態に含まれるＱＣＬタイプＤの参照信号のタイプに基づいて、又は、前記少なくとも２つの下り信号のマッピングタイプに基づいて、又は、前記少なくとも２つの下り信号の持続時間長に基づいて、又は、前記少なくとも２つの下り信号がシステム情報を運むかどうかに基づいて、又は、前記少なくとも２つの下り信号が上位レイヤシグナリングを運むかどうかに基づいて、前記少なくとも２つの下り信号のそれぞれの優先度を決定することができる。
【００９４】
端末デバイスは、上記の複数の条件を組み合わせることにより、前記少なくとも２つの下り信号のそれぞれの優先度を判断できることは理解できる。例えば、最初に条件Ａに基づいて優先度順位を判断し、条件Ａが同じである場合、さらに条件Ｂに基づいて優先度順位を判断する。
【００９５】
例えば、下り信号の例としてＰＤＳＣＨを取り上げると、先に受信したＤＣＩによってスケジューリングされたＰＤＳＣＨの優先度が高くなる。
【００９６】
又は、別の例として、下り信号の例としてＰＤＳＣＨを取り上げると、ＤＣＩフォーマット１＿０によってスケジュールされたＰＤＳＣＨの優先度は、ＤＣＩフォーマット１＿１によってスケジュールされたＰＤＳＣＨの優先度よりも高くなる。
【００９７】
又は、別の例として、下り信号の例としてＰＤＳＣＨを取り上げると、共通サーチスペースで検出されたＤＣＩによってスケジュールされたＰＤＳＣＨの優先度は、ＵＥ固有サーチスペースで検出されたＤＣＩによってスケジュールされたＰＤＳＣＨの優先度よりも高くなる。
【００９８】
又は、別の例として、下り信号の例としてＰＤＳＣＨを取り上げると、Ｃ−ＲＮＴＩ及びＣＳ−ＲＮＴＩ以外のＲＮＴＩによってスクランブルされたＤＣＩによってスケジュールされたＰＤＳＣＨが最も高い優先度を持ち、Ｃ−ＲＮＴＩによってスクランブルされたＤＣＩによってスケジュールされたＰＤＳＣＨが２番目に高い優先度を持ち、ＣＳ−ＲＮＴＩによってスクランブルされたＤＣＩによってスケジュールされたＰＤＳＣＨが最も低い優先度を持つ。
【００９９】
又は、別の例として、下り信号の例としてＰＤＳＣＨを取り上げると、対応するＴＣＩ状態にＱＣＬタイプＤの参照信号が含まれるＰＤＳＣＨの優先度は、対応するＴＣＩ状態にＱＣＬタイプＤの参照信号が含まれないＰＤＳＣＨの優先度よりも高くなる。
【０１００】
又は、別の例として、下り信号の例としてＰＤＳＣＨを取り上げると、ＰＤＳＣＨをスケジュールするＤＣＩとスケジュールされたＰＤＳＣＨの間の時間間隔が短いほど、対応するＰＤＳＣＨの優先度が高くなる。
【０１０１】
又は、別の例として、下り信号の例としてＰＤＳＣＨを取り上げると、ＰＤＳＣＨをスケジュールするＤＣＩとスケジュールされたＰＤＳＣＨの間の時間間隔が事前に設定された第２の時間閾値より大きいＰＤＳＣＨの優先度は、事前に設定された第２の時間閾値より小さいＰＤＳＣＨの優先度よりも高くなる。
【０１０２】
又は、別の例として、下り信号の例としてＰＤＳＣＨを取り上げると、前記ＰＤＳＣＨのＴＣＩ状態に含まれる参照信号のタイプの優先度順位は、ＴＲＳ>ＣＳＩ−ＲＳ>ＳＳＢであり、対応する参照信号の優先度が高いほど、ＰＤＳＣＨの優先度が高くなる。
【０１０３】
又は、別の例として、下り信号の例としてＰＤＳＣＨを取り上げると、前記ＰＤＳＣＨのＴＣＩ状態に含まれるＱＣＬタイプＤの参照信号のタイプの優先度順位は、ＴＲＳ>ＣＳＩ−ＲＳ>ＳＳＢであり、対応するＱＣＬタイプＤの参照信号の優先度が高いほど、ＰＤＳＣＨの優先度が高くなる。
【０１０４】
又は、別の例として、下り信号の例としてＰＤＳＣＨを取り上げると、マッピングタイプがタイプＢであるＰＤＳＣＨの優先度は、マッピングタイプがタイプＡであるＰＤＳＣＨの優先度よりも高くなる。
【０１０５】
又は、別の例として、下り信号の例としてＰＤＳＣＨを取り上げると、ＰＤＳＣＨの持続時間が短いほど優先度が高くなり、逆に、ＰＤＳＣＨの持続時間が長いほど優先度が高くなってもよい。
【０１０６】
又は、別の例として、下り信号の例としてＰＤＳＣＨを取り上げると、システム情報を運ぶＰＤＳＣＨの優先度は、システム情報を運ばないＰＤＳＣＨの優先度よりも高くなる。
【０１０７】
又は、別の例として、下り信号の例としてＰＤＳＣＨを取り上げると、上位レイヤシグナリングを運ぶＰＤＳＣＨの優先度は、上位レイヤシグナリングを運ばないＰＤＳＣＨの優先度よりも高くなる。
【０１０８】
別の具体的な実装プロセスでは、前記端末デバイスは、以下の方法で、前記各下り信号の優先度に従って、前記少なくとも２つの下り信号の受信モードを決定することができる。
【０１０９】
例えば、前記端末デバイスは、優先度の高い下り信号を受信し、優先度の低い下り信号を受信しないと決定する。
【０１１０】
又は、別の例として、前記端末デバイスは、優先度の高い下り信号の伝送構成を採用して前記少なくとも２つの下り信号（優先度の低い下り信号を含む）を受信すると決定する。
【０１１１】
本発明によって提供される技術的解決策に基づいて、端末デバイスは、一つの検出ウィンドウ内で複数の下り信号が衝突するか、又は下り信号の受信ビームが異なる場合、優先度を決定することで複数の下り信号を受信し、それにより、優先度の高い下り信号の復調性能を確保する。
【０１１２】
選択的に、本実施例の一可能な実現形態において、２２０において、具体的に、前記端末デバイスは、前記端末デバイスのアンテナアレイの数及び前記少なくとも２つの下り信号の伝送情報に応じて、前記少なくとも２つの下り信号の受信モードを決定することができる。
【０１１３】
一具体的な実装プロセスでは、前記アンテナアレイの数Ｋが前記少なくとも２つの下り信号の数Ｎより小さい場合、前記端末デバイスは、前記Ｎ個の下り信号の伝送情報に従って前記Ｎ個の下り信号から最も優先度の高いＫ個の下り信号を選択し、前記Ｋ個の下り信号の伝送構成を使用してそれぞれ前記Ｋ個の下り信号を受信すると決定する。
【０１１４】
例えば、下り信号の例としてＰＤＳＣＨを取り上げると、端末デバイスにＫ個のアンテナアレイがあり、かつＫ<Ｎの場合、端末デバイスは、前記Ｎ個のＰＤＳＣＨの伝送情報に従って、前述の可能な実装形態で提供される技術的解決策に従って前記Ｎ個のＰＤＳＣＨから最も優先度の高いＫ個のＰＤＳＣＨを選択し、前記Ｋ個のＰＤＳＣＨの伝送構成を使用してそれぞれ前記Ｋ個の下り信号を受信することができる。同時に、前記Ｋ個のＰＤＳＣＨは、それぞれＫ個のアンテナアレイを使用して受信することができる。
【０１１５】
前記Ｋ個のＰＤＳＣＨ以外のＰＤＳＣＨについて、端末デバイスは受信しないか、前記Ｋ個のＰＤＳＣＨの伝送構成を使用して受信することができる。
【０１１６】
通常、Ｋ＝１、Ｎ＝２又は３の場合、２つ又は３つの信号から優先度の最も高い一つの信号を選択し、及び／又は、Ｋ＝２、Ｎ＝３の場合、３つの信号から優先度の最も高い２つの信号を選択する必要がある。
【０１１７】
別の具体的な実装プロセスでは、前記アンテナアレイ（Antenna Panel）の数Ｋが前記少なくとも２つの下り信号の数Ｎ以上である場合、前記端末デバイスは、前記Ｎ個の下り信号の伝送構成を採用してそれぞれ前記Ｎ個の下り信号を受信すると決定する。
【０１１８】
例えば、下り信号の例としてＰＤＳＣＨを取り上げると、端末デバイスにＫ個のアンテナアレイがあり、且つＫ≧Ｎの場合、端末デバイスは、前記Ｎ個のＰＤＳＣＨのそれぞれの伝送構成を使用して、それぞれ前記Ｎ個のＰＤＳＣＨを受信することができる。同時に、前記Ｎ個のＰＤＳＣＨは、それぞれＮ個のアンテナアレイを使用して受信することができる。
【０１１９】
本実施例では、端末デバイスは、第１の検出ウィンドウ内で少なくとも２つの下り信号を受信する必要があると決定し、さらに前記少なくとも２つの下り信号の伝送情報に従って、前記少なくとも２つの下り信号の受信モードを決定することで、前記端末デバイスは、前記少なくとも２つの下り信号の受信モードに従って、第１の検出ウィンドウ内で前記少なくとも２つの下り信号における少なくとも１つの下り信号を受信することができ、それによって端末デバイスによる複数の下り信号の受信を実現することになる。
【０１２０】
前述の各方法実施例について、簡潔な説明のために、一連の動作の組み合わせとして表されるが、当業者は、本発明が記載された動作順序に限定されないことを知っているべきであることに留意されたい。本発明によれば、特定のステップを他の順序で又は同時に実行することができるからである。また、当業者は、本明細書に記載の実施例がすべて好ましい実施例であり、関連する動作及びモジュールが本発明において必ずしも必要とされないことも知っているべきである。
【０１２１】
上記の実施例では、各実施例の説明は、それ自体の焦点を有し、ある実施例で詳しく説明されていない部分については、他の実施例の関連する説明を参照するこができる。
【０１２２】
図３は、本願の実施例によって提供される端末デバイス３００の概略ブロック図である。本実施例で提供される端末デバイスは、受信スケジューリング決定ユニット３１０、受信モード決定ユニット３２０、及び下り信号受信ユニット３３０を含み得る。受信スケジューリング決定ユニット３１０は、第１の検出ウィンドウ内で少なくとも２つの下り信号を受信する必要があると決定するように構成される。受信モード決定ユニット３２０は、前記少なくとも２つの下り信号の伝送情報に従って前記少なくとも２つの下り信号の受信モードを決定するように構成され、前記伝送情報は、前記少なくとも２つの下り信号のスケジューリング情報、伝送構成、又は運ばれる情報のうちの少なくとも１つを含む。下り信号受信ユニット３３０は、前記少なくとも２つの下り信号の受信モードに従って、前記第１の検出ウィンドウ内で前記少なくとも２つの下り信号のうちの少なくとも１つの下り信号を受信するように構成される。
【０１２３】
なお、本発明に関する前記下り信号は、物理下り共有チャネル（Physical Downlink Shared Channel，PDSCH）、物理下り制御チャネル（Physical Downlink Control Channel，PDCCH）、又はチャネル状態情報参照信号（Channel State Information Reference Signal，CSI-RS）を含み得るが、これらに限定されず、本実施例はこれを特に限定しない。
【０１２４】
選択的に、本実施例の一可能な実現形態において、前記伝送構成は、以下を含み得るが、これらに限定されない：
対応する下り信号を受信するために使用される受信ビーム、及び/又は
対応する下り信号を受信するために使用される準コロケーション（Quasi-Co-Located，QCL）タイプＤ（type D）の参照信号。
【０１２５】
選択的に、本実施例の一可能な実現形態において、前記少なくとも２つの下り信号のそれぞれは、独立した下り制御情報（Downlink Control Information，DCI）によってスケジュールされ得る。
【０１２６】
選択的に、本実施例の一可能な実現形態において、前記少なくとも２つの下り信号における異なる下り信号によって占有される物理リソースがオーバーラップし、従って、これらのＰＤＳＣＨは、第１の検出ウィンドウで同時に端末デバイスによって受信され得ない。
【０１２７】
選択的に、本実施例の一可能な実現形態において、前記少なくとも２つの下り信号における異なる下り信号は、異なる伝送構成を有する。従って、端末デバイスは、第１の検出ウィンドウにおいて、各ＰＤＳＣＨのそれぞれの伝送構成を使用して各ＰＤＳＣＨを受信することはできない。
【０１２８】
例えば、前記少なくとも２つの下り信号における異なる下り信号の伝送構成インジケータ（Transmission Configuration Indicator，TCI）状態に含まれる参照信号が異なる。
【０１２９】
或いは、別の例として、前記少なくとも２つの下り信号における異なる下り信号のＴＣＩ状態に含まれる準コロケーション（Quasi-Co-Located，QCL）タイプＤ（type D）の参照信号が異なる。
【０１３０】
或いは、別の例として、前記少なくとも２つの下り信号における異なる下り信号のＴＣＩ状態に含まれるＱＣＬタイプＤの参照信号はＱＣＬではない。
【０１３１】
選択的に、本実施例の一可能な実現形態において、前記第１の検出ウィンドウは、以下の時間ユニットを含み得るが、これらに限定されない：
一つのスロット、又は
少なくとも２つのスロット、又は
一つの直交周波数分割多重（Orthogonal Frequency Division Multiplexing，OFDM）シンボル、又は
少なくとも２つのＯＦＤＭシンボル。
【０１３２】
選択的に、本実施例の一可能な実現形態において、前記受信モード決定ユニット３２０は、具体的に次のように構成され得る。
【０１３３】
前記少なくとも２つの下り信号の伝送情報に従って、前記少なくとも２つの下り信号のうちの少なくとも１つの下り信号を受信するかどうかを決定し、及び/又は
前記少なくとも２つの下り信号の伝送情報に従って、前記少なくとも２つの下り信号のうちの少なくとも１つの下り信号を受信するために使用される伝送構成を決定する。
【０１３４】
選択的に、本実施例の一可能な実現形態において、前記伝送情報は、前記少なくとも２つの下り信号のスケジューリング情報を含み、前記受信モード決定ユニット３２０は、具体的に以下のように構成され得る。
【０１３５】
前記少なくとも２つの下り信号をスケジューリングするためのＤＣＩの受信順序に従って、前記少なくとも２つの下り信号の受信モードを決定し、及び/又は
前記少なくとも２つの下り信号をスケジュールするＤＣＩのＤＣＩフォーマットに従って、前記少なくとも２つの下り信号の受信モードを決定し、及び/又は
前記少なくとも２つの下り信号をスケジュールするＤＣＩの巡回冗長チェックコードＣＲＣスクランブリングモードに従って、前記少なくとも２つの下り信号の受信モードを決定し、及び/又は
前記少なくとも２つの下り信号をスケジュールするＤＣＩが位置するサーチスペース又は制御リソースセットに従って、前記少なくとも２つの下り信号の受信モードを決定し、及び/又は
前記少なくとも２つの下り信号のそれぞれの下り信号をスケジュールするＤＣＩとスケジュールされた下り信号との間の時間間隔に従って、前記少なくとも２つの下り信号のそれぞれの下り信号の受信モードを決定する。
【０１３６】
具体的には、前記受信モード決定ユニット３２０は、前記少なくとも２つの下り信号のそれぞれをスケジュールするＤＣＩとスケジュールされた下り信号との間の時間間隔が、事前に設定された第１の時間閾値よりも大きいかどうかに応じて、前記少なくとも２つの下り信号のそれぞれの受信モードを決定し得る。
【０１３７】
選択的に、本実施例の一可能な実現形態において、前記伝送情報には、前記少なくとも２つの下り信号の伝送構成が含まれ、前記受信モード決定ユニット３２０は、具体的に次のように構成され得る。
【０１３８】
前記少なくとも２つの下り信号のＴＣＩ状態にＱＣＬタイプＤの参照信号が含まれているかどうかに応じて、前記少なくとも２つの下り信号の受信モードを決定し、及び/又は
前記少なくとも２つの下り信号のＴＣＩ状態に含まれる参照信号のタイプに従って、前記少なくとも２つの下り信号の受信モードを決定し、及び/又は
前記少なくとも２つの下り信号のＴＣＩ状態に含まれるＱＣＬタイプＤの参照信号のタイプに従って、前記少なくとも２つの下り信号の受信モードを決定し、及び/又は
前記少なくとも２つの下り信号のマッピングタイプに従って、前記少なくとも２つの下り信号の受信モードを決定し、及び/又は
前記少なくとも２つの下り信号の持続時間長に従って、前記少なくとも２つの下り信号の受信モードを決定する。
【０１３９】
選択的に、本実施例の一可能な実現形態において、前記伝送情報には、前記少なくとも２つの下り信号によって運ばれる情報が含まれ、前記受信モード決定ユニット３２０は、具体的に以下のように構成され得る。
【０１４０】
前記少なくとも２つの下り信号がシステム情報を運ぶかどうかに応じて、前記少なくとも２つの下り信号の受信モードを決定し、及び/又は
前記少なくとも２つの下り信号が上位レイヤシグナリングを運ぶかどうかに従って、前記少なくとも２つの下り信号の受信モードを決定する。
【０１４１】
選択的に、本実施例の一可能な実現形態において、受信モード決定ユニット３２０は、具体的に、前記少なくとも２つの下り信号の伝送情報に従って、前記少なくとも２つの下り信号のそれぞれの下り信号の優先度を決定し、前記それぞれの下り信号の優先度に従って、前記少なくとも２つの下り信号の受信モードを決定するように構成され得る。
【０１４２】
具体的には、前記受信モード決定ユニット３２０は、具体的に次のように構成され得る。
【０１４３】
優先度の高い下り信号を受信し、優先度の低い下り信号を受信しないと決定し、及び/又は
優先度の高い下り信号の伝送構成を採用して前記少なくとも２つの下り信号を受信すると決定する。
【０１４４】
選択的に、本実施例の一可能な実現形態において、前記受信モード決定ユニット３２０は、具体的に、前記端末デバイスのアンテナアレイの数及び前記少なくとも２つの下り信号の伝送情報に応じて、前記少なくとも２つの下り信号の受信モードを決定するように構成され得る。
【０１４５】
一具体的な実装プロセスでは、前記受信モード決定ユニット３２０は、具体的に、前記アンテナアレイの数Ｋが前記少なくとも２つの下り信号の数Ｎより小さい場合、前記Ｎ個の下り信号の伝送情報に従って前記Ｎ個の下り信号から最も優先度の高いＫ個の下り信号を選択し、前記Ｋ個の下り信号の伝送構成を使用してそれぞれ前記Ｋ個の下り信号を受信すると決定するように構成され得る。
【０１４６】
別の具体的な実装プロセスでは、前記受信モード決定ユニット３２０は、具体的に、前記アンテナアレイの数Ｋが前記少なくとも２つの下り信号の数Ｎ以上である場合、前記Ｎ個の下り信号の伝送構成を採用してそれぞれ前記Ｎ個の下り信号を受信すると決定するように構成され得る。
【０１４７】
図２に対応する実施例において端末デバイスによって実行される方法は、前述の方法において端末デバイスによって実現される対応する機能を実現するために適用され得ることに留意されたい。詳細な説明については、図２に対応する実施例の関連する内容を参照することができ、ここでは繰り返さない。
【０１４８】
本実施例では、端末デバイスは、受信スケジューリング決定ユニットを介して第１の検出ウィンドウ内で少なくとも２つの下り信号を受信する必要があると決定し、次に受信モード決定ユニットにより前記少なくとも２つの下り信号の伝送情報に従って、前記少なくとも２つの下り信号の受信モードを決定することで、下り信号受信ユニットが前記少なくとも２つの下り信号の受信モードに従って、前記第１の検出ウィンドウ内で前記少なくとも２つの下り信号における少なくとも１つの下り信号を受信することができ、それによって端末デバイスによる複数の下り信号の受信を実現することになる。
【０１４９】
図４は、本願の実施例によって提供される通信デバイス４００の概略構造図である。図４に示される通信デバイス４００は、プロセッサ４１０を含み、プロセッサ４１０は、メモリからコンピュータプログラムを呼び出して実行することで、本願の実施例における方法を実現することができる。
【０１５０】
選択的に、図４に示されるように、通信デバイス４００は、メモリ４２０をさらに含み得る。プロセッサ４１０は、メモリ４２０からコンピュータプログラムを呼び出して実行することで、本願の実施例における方法を実現することができる。
【０１５１】
ここで、メモリ４２０は、プロセッサ４１０から独立した個別のデバイスであってもよく、プロセッサ４１０に集積されてもよい。
【０１５２】
本発明の実施例に係るプロセッサは、信号処理能力のある集積回路チップであってもよいことを理解されたい。実装の過程では、上記方法の実施例の各ステップは、プロセッサにおけるハードウェアの集積論理回路又はソフトウェアの形の命令により完了することができる。上記のプロセッサは、汎用プロセッサ、デジタル信号プロセッサ（Digital Signal Processor，DSP）、専用集積回路（Application Specific Integrated Circuit，ASIC）、フィールドプログラマブルゲートアレイ（Field Programmable Gate Array，FPGA）又は他のプログラマブル論理デバイス、ディスクリートゲート又はトランジスタ論理デバイス、ディスクリートハードウェアコンポーネントであってもよい。本願の実施例において開示された各方法、ステップ、及び論理ブロック図を実現又は実行することができる。汎用プロセッサはマイクロプロセッサであってもよく、又は、上記プロセッサはまた、いずれかの通常のプロセッサ等であってもよい。本願の実施例に結合して開示された方法のステップは、ハードウェアデコードプロセッサにより実行されて完了するように直接具現化されるか、又はデコードプロセッサにおけるハードウェア及びソフトウェアモジュールの組み合わせにより実行されて完了することができる。ソフトウェアモジュールは、ランダムアクセスメモリ、フラッシュメモリ、読み取り専用メモリ、プログラマブル読み取り専用メモリ、又は電気的に消去可能なプログラマブルメモリ、レジスタ等の本技術分野の成熟した記憶媒体に配置されることができる。上記記憶媒体はメモリに配置され、プロセッサはメモリ内の情報を読み取り、そのハードウェアと組み合わせて上記の方法のステップを完了する。
【０１５３】
本願の実施例におけるメモリは、揮発性メモリ又は不揮発性メモリであってもよく、又は揮発性及び不揮発性メモリの両方を含んでもよいことが理解される。ここで、不揮発性メモリは、読み取り専用メモリ（Read-Only Memory，ROM）、プログラマブル読み取り専用メモリ（Programmable ROM，PROM）、消去可能なプログラマブル読み取り専用メモリ（Erasable PROM，EPROM）、電気的に消去可能なプログラマブル読み取り専用メモリ（Electrically EPROM，EEPROM）又はフラッシュメモリであってもよい。揮発性メモリは、外部キャッシュとして使用されるランダムアクセスメモリ（Random Access Memory，RAM）であってもよい。限定ではなく例として、スタティックランダムアクセスメモリ（Static RAM，SRAM）、ダイナミックランダムアクセスメモリ（Dynamic RAM，DRAM）、同期ダイナミックランダムアクセスメモリ（Synchronous DRAM，SDRAM）、ダブルデータレート同期ダイナミックランダムアクセスメモリ（Double Data Rate SDRAM，DDR SDRAM）、拡張同期ダイナミックランダムアクセスメモリ（Enhanced SDRAM，ESDRAM）、同期接続ダイナミックランダムアクセスメモリ（Synchlink DRAM，SLDRAM）、及びダイレクトメモリバスランダムアクセスメモリ（Direct Rambus RAM，DR RAM）等の多くの形式のＲＡＭが利用可能である。本明細書で説明されるシステム及び方法のメモリは、これら及び任意の他の適切なタイプのメモリを含むことが意図されているが、これらに限定されないことに留意されたい。
【０１５４】
上記メモリは限定ではなく示例的なものであることを理解されたい。例えば、本願の実施例のメモリは、スタティックランダムアクセスメモリ（static RAM，SRAM）、ダイナミックランダムアクセスメモリ（dynamic RAM，DRAM）、同期ダイナミックランダムアクセスメモリ（synchronous DRAM，SDRAM）、ダブルデータレート同期ダイナミックランダムアクセスメモリ（double data rate SDRAM，DDR SDRAM）、拡張同期ダイナミックランダムアクセスメモリ（enhanced SDRAM，ESDRAM）、同期接続ダイナミックランダムアクセスメモリ（synch link DRAM，SLDRAM）、及びダイレクトメモリバスランダムアクセスメモリ（Direct Rambus RAM，DR RAM）等であってもよい。つまり、本願の実施例のメモリは、これら及び任意の他の適切なタイプのメモリを含むことが意図されているが、これらに限定されない。
【０１５５】
選択的に、図４に示すように、通信デバイス４００は、送受信機４３０をさらに含むことができ、プロセッサ４１０は、他のデバイスと通信するように前記送受信機４３０を制御することができ、具体的には、情報又はデータを他のデバイスに送信したり、他のデバイスによって送信された情報又はデータを受信することができる。
【０１５６】
ここで、送受信機４３０は、送信機および受信機を含み得る。送受信機４３０はさらにアンテナを含むことができ、アンテナの数は１つ又は複数であってよい。
【０１５７】
選択的に、前記通信デバイス４００は、具体的には、本願の実施例のネットワークデバイスであってよく、かつ、前記通信デバイス４００は、本願の実施例の各方法においてネットワークデバイスによって実現される対応するプロセスを実現することができ、簡潔にするために、ここでは繰り返さない。
【０１５８】
選択的に、前記通信デバイス４００は、具体的には、本願の実施例の移動端末デバイス／端末デバイスであってよく、かつ、前記通信デバイス４００は、本願の実施例の各方法において移動端末デバイス／端末デバイスによって実現される対応するプロセスを実現することができ、簡潔にするために、ここでは繰り返さない。
【０１５９】
図５は、本願の実施例のチップの概略構成図である。図５に示すチップ５００は、プロセッサ５１０を含み、プロセッサ５１０は、メモリからコンピュータプログラムを呼び出して実行することで、本願の実施例における方法を実施することができる。
【０１６０】
選択的に、図５に示すように、チップ５００はさらにメモリ５２０を含むことができる。プロセッサ５１０は、メモリ５２０からコンピュータプログラムを呼び出して実行することで、本願の実施例における方法を実施することができる。
【０１６１】
ここで、メモリ５２０は、プロセッサ５１０から独立した個別のデバイスであってもよく、又はプロセッサ５１０に集積されてもよい。
【０１６２】
本発明の実施例に係るプロセッサは、信号処理能力のある集積回路チップであってもよいことを理解されたい。実装の過程では、上記方法の実施例の各ステップは、プロセッサにおけるハードウェアの集積論理回路又はソフトウェアの形の命令により完了することができる。上記のプロセッサは、汎用プロセッサ、デジタル信号プロセッサ（Digital Signal Processor，DSP）、専用集積回路（Application Specific Integrated Circuit，ASIC）、フィールドプログラマブルゲートアレイ（Field Programmable Gate Array，FPGA）又は他のプログラマブル論理デバイス、ディスクリートゲート又はトランジスタ論理デバイス、ディスクリートハードウェアコンポーネントであってもよい。本願の実施例において開示された各方法、ステップ、及び論理ブロック図を実現又は実行することができる。汎用プロセッサはマイクロプロセッサであってもよく、又は、上記プロセッサはまた、いずれかの通常のプロセッサ等であってもよい。本願の実施例に結合して開示された方法のステップは、ハードウェアデコードプロセッサにより実行されて完了するように直接具現化されるか、又はデコードプロセッサにおけるハードウェア及びソフトウェアモジュールの組み合わせにより実行されて完了することができる。ソフトウェアモジュールは、ランダムアクセスメモリ、フラッシュメモリ、読み取り専用メモリ、プログラマブル読み取り専用メモリ、又は電気的に消去可能なプログラマブルメモリ、レジスタ等の本技術分野の成熟した記憶媒体に配置されることができる。上記記憶媒体はメモリに配置され、プロセッサはメモリ内の情報を読み取り、そのハードウェアと組み合わせて上記の方法のステップを完了する。
【０１６３】
本願の実施例におけるメモリは、揮発性メモリ又は不揮発性メモリであってもよく、又は揮発性及び不揮発性メモリの両方を含んでもよいことが理解される。ここで、不揮発性メモリは、読み取り専用メモリ（Read-Only Memory，ROM）、プログラマブル読み取り専用メモリ（Programmable ROM，PROM）、消去可能なプログラマブル読み取り専用メモリ（Erasable PROM，EPROM）、電気的に消去可能なプログラマブル読み取り専用メモリ（Electrically EPROM，EEPROM）又はフラッシュメモリであってもよい。揮発性メモリは、外部キャッシュとして使用されるランダムアクセスメモリ（Random Access Memory，RAM）であってもよい。限定ではなく例として、スタティックランダムアクセスメモリ（Static RAM，SRAM）、ダイナミックランダムアクセスメモリ（Dynamic RAM，DRAM）、同期ダイナミックランダムアクセスメモリ（Synchronous DRAM，SDRAM）、ダブルデータレート同期ダイナミックランダムアクセスメモリ（Double Data Rate SDRAM，DDR SDRAM）、拡張同期ダイナミックランダムアクセスメモリ（Enhanced SDRAM，ESDRAM）、同期接続ダイナミックランダムアクセスメモリ（Synchlink DRAM，SLDRAM）、及びダイレクトメモリバスランダムアクセスメモリ（Direct Rambus RAM，DR RAM）等の多くの形式のＲＡＭが利用可能である。本明細書で説明されるシステム及び方法のメモリは、これら及び任意の他の適切なタイプのメモリを含むことが意図されているが、これらに限定されないことに留意されたい。
【０１６４】
上記メモリは限定ではなく示例的なものであることを理解されたい。例えば、本願の実施例のメモリは、スタティックランダムアクセスメモリ（static RAM，SRAM）、ダイナミックランダムアクセスメモリ（dynamic RAM，DRAM）、同期ダイナミックランダムアクセスメモリ（synchronous DRAM，SDRAM）、ダブルデータレート同期ダイナミックランダムアクセスメモリ（double data rate SDRAM，DDR SDRAM）、拡張同期ダイナミックランダムアクセスメモリ（enhanced SDRAM，ESDRAM）、同期接続ダイナミックランダムアクセスメモリ（synch link DRAM，SLDRAM）、及びダイレクトメモリバスランダムアクセスメモリ（Direct Rambus RAM，DR RAM）等であってもよい。つまり、本願の実施例のメモリは、これら及び任意の他の適切なタイプのメモリを含むことが意図されているが、これらに限定されない。
【０１６５】
選択的に、上記チップ５００は、入力インターフェース５３０をさらに含むことができる。ここで、プロセッサ５１０は、上記入力インターフェース５３０が他のデバイス又はチップと通信するように制御することができ、具体的には、他のデバイス又はチップによって送信された情報又はデータを取得することができる。
【０１６６】
選択的に、上記チップ５００は、出力インターフェース５４０をさらに含むことができる。ここで、プロセッサ５１０は、上記出力インターフェース５４０が他のデバイス又はチップと通信するように制御することができ、具体的には、情報又はデータを他のデバイス又はチップに出力することができる。
【０１６７】
選択的に、上記チップは、本願の実施例におけるネットワークデバイスに適用されてもよく、かつ、上記チップは、本願の実施例の各方法におけるネットワークデバイスによって実行される対応するフローを実装できる。簡潔にするために、ここでは繰り返さない。
【０１６８】
選択的に、上記チップは、本願の実施例における移動端末デバイス／端末デバイスに適用されてもよく、チップは、本願の実施例の各方法における移動端末デバイス／端末デバイスによって実行される対応するフローを実装できる。簡潔にするために、ここでは繰り返さない。
【０１６９】
本願の実施例で言及されるチップは、システムオンチップ、システムチップ、チップシステム、又はシステムオンチップのチップとも呼ばれ得ることを理解されたい。
【０１７０】
本願の実施例はまた、コンピュータプログラムを記憶するためのコンピュータ読取可能な記憶媒体を提供する。
【０１７１】
選択的に、上記コンピュータ読取可能な記憶媒体は、本願の実施例の端末デバイスに適用でき、上記コンピュータプログラムは、本願の実施例の各方法で端末デバイスによって実装される対応するフローをコンピュータに実行させる。簡潔にするため、ここでは繰り返さない。
【０１７２】
本願の実施例はまた、コンピュータプログラム命令を含むコンピュータプログラム製品を提供する。
【０１７３】
選択的に、上記コンピュータプログラム製品は、本願の実施例の端末デバイスに適用でき、上記コンピュータプログラム命令は、本願の実施例の各方法で端末デバイスによって実装される対応するフローをコンピュータに実行させる。簡潔にするため、ここでは繰り返さない。
【０１７４】
本願の実施例はまた、コンピュータプログラムを提供する。
【０１７５】
選択的に、上記コンピュータプログラムは、本願の実施例における端末デバイスに適用でき、上記コンピュータプログラムがコンピュータ上で実行されると、本願の実施例における各方法で端末デバイスによって実装される対応するフローをコンピュータに実行させる。簡潔にするため、ここでは繰り返さない。
【０１７６】
当業者であれば、本明細書に開示された実施例に関連して説明された各例のユニット及びアルゴリズムステップが、電子ハードウェア、又はコンピュータソフトウェア及び電子ハードウェアの組み合わせで実現できることが認識される。これらの機能がハードウェアで実行されるかソフトウェアで実行されるかは、解決策の特定のアプリケーション及び設計上の制約条件によって異なる。当業者であれば、特定の用途ごとに異なる方法を使用して記載された機能を実現できるが、このような実現が本願の範囲を超えると考慮されるべきではない。
【０１７７】
当業者であれば、説明の便宜及び簡潔さのために、上述のシステム、装置、及びユニットの具体的な動作プロセスについては、前述の方法の実施例における対応するプロセスを参照することができ、ここで繰り返さないことを理解することができる。
【０１７８】
本発明に提供された幾つかの実施例において、開示されたシステム、装置及び方法は、他の方式で実現されてもよいことを理解されたい。例えば、上述のような装置の実施例は、単なる例にすぎず、例えば、上記ユニットの区分は、単なる論理的な機能による区分であり、実際に実現するときは他の区分方式であってもよく、例えば、複数のユニット又はコンポーネントが組み合わされるか又は別のシステムに集積されてもよく、或いは幾つかの特徴が省略され又は実行されなくてもよい。一方、示された又は検討された相互間の結合又は直接的な結合又は通信接続は、幾つかのインターフェイスを介してもよく、装置又はユニットによる間接的な結合又は通信接続は、電気的、機械的、又は他の形態であってもよい。
【０１７９】
前記分離部材として説明されたユニットは、物理的に分離されてもよく、物理的に分離されなくてもよく、ユニットとして示された部材は、物理的なユニットであってもよく、物理的なユニットでなくてもよく、つまり、あるところに位置してもよく、複数のネットワークユニット上に分散されてもよい。実際の需要に応じて、一部又は全部のユニットを選択し、本実施例の解決策の目的を実現することができる。
【０１８０】
なお、本願の各実施例に係る各機能ユニットは、１つの処理ユニットに集積されていてもよく、各ユニットが単独に物理的に存在していてもよく、２つ又は２つ以上のユニットが１つのユニットに集積されていてもよい。
【０１８１】
前記機能がソフトウェア機能ユニットの形で実現され、且つ独立した製品として販売又は使用される場合には、１つのコンピュータ読み取り可能な記憶媒体に格納されることができる。このような理解に基づき、本願の解決策は本質的に、従来技術に貢献した部分又は前記解決策の一部がソフトウェア製品の形で具現化されることができ、前記コンピュータソフトウェア製品は、１つの記憶媒体に格納され、１台のコンピュータデバイス（パーソナルコンピュータ、サーバ、又はネットワークデバイス等であってもよい）に本願の各実施例に記載の方法のステップの全部又は一部を実行させる命令を若干備える。前述の記憶媒体は、ＵＳＢメモリ、モバイルハードディスク、読み取り専用メモリ（Read-Only Memory，ROM）、ランダムアクセスメモリ（Random Access Memory，RAM）、磁気ディスク、又は光ディスク等のプログラムコードを格納可能な様々な媒体を含む。
【０１８２】
以上は、本願の好ましい実施例にすぎず、本願の保護範囲はこれらに限定されない。この技術分野の当業者であれば、いずれも本願に提示された技術範囲内で、変更又は置き換えを行うことを容易に想到でき、このような変更又は置き換えはいずれも本願の保護範囲に含まれるべきである。従って、本願の保護範囲は、特許請求の範囲に従うべきである。
【手続補正２】
【補正対象書類名】特許請求の範囲
【補正対象項目名】全文
【補正方法】変更
【補正の内容】
【特許請求の範囲】
【請求項１】
端末デバイスが第１の検出ウィンドウ内で少なくとも２つの下り信号を受信する必要があると決定するステップと、
前記端末デバイスが前記少なくとも２つの下り信号の伝送情報に従って、前記少なくとも２つの下り信号の受信モードを決定するステップと、
前記端末デバイスが前記少なくとも２つの下り信号の受信モードに従って、前記第１の検出ウィンドウ内で前記少なくとも２つの下り信号のうちの少なくとも１つの下り信号を受信するステップとを含み、
前記伝送情報は、前記少なくとも２つの下り信号のスケジューリング情報、伝送構成、又は運ばれる情報のうちの少なくとも１つを含む
ことを特徴とする下り信号の伝送方法。
【請求項２】
前記少なくとも２つの下り信号における異なる下り信号によって占有される物理リソースがオーバーラップし、及び/又は
前記少なくとも２つの下り信号における異なる下り信号の伝送構成インジケータ（ＴＣＩ）状態に含まれる参照信号が異なり、及び/又は
前記少なくとも２つの下り信号における異なる下り信号のＴＣＩ状態に含まれる準コロケーション（ＱＣＬ）タイプＤの参照信号が異なり、及び/又は
前記少なくとも２つの下り信号における異なる下り信号のＴＣＩ状態に含まれるＱＣＬタイプＤの参照信号がＱＣＬではない
ことを特徴とする請求項１に記載の方法。
【請求項３】
前記伝送情報は、前記少なくとも２つの下り信号のスケジューリング情報を含み、
前記端末デバイスが前記少なくとも２つの下り信号の伝送情報に従って、前記少なくとも２つの下り信号の受信モードを決定するステップは、
前記端末デバイスが、前記少なくとも２つの下り信号をスケジューリングするＤＣＩの受信順序に従って、前記少なくとも２つの下り信号の受信モードを決定するステップと、
前記端末デバイスが、前記少なくとも２つの下り信号をスケジューリングするＤＣＩのＤＣＩフォーマットに従って、前記少なくとも２つの下り信号の受信モードを決定するステップと、
前記端末デバイスが、前記少なくとも２つの下り信号をスケジューリングするＤＣＩの巡回冗長チェックコード（ＣＲＣ）スクランブリングモードに従って、前記少なくとも２つの下り信号の受信モードを決定するステップと、
前記端末デバイスが、前記少なくとも２つの下り信号をスケジューリングするＤＣＩが位置するサーチスペース又は制御リソースセットに従って、前記少なくとも２つの下り信号の受信モードを決定するステップと、
前記端末デバイスが、前記少なくとも２つの下り信号のそれぞれの下り信号をスケジューリングするＤＣＩとスケジュールされた下り信号との間の時間間隔に従って、前記少なくとも２つの下り信号のそれぞれの下り信号の受信モードを決定するステップとのうちの少なくとも一つのステップを含む
ことを特徴とする請求項１に記載の方法。
【請求項４】
前記端末デバイスが、前記少なくとも２つの下り信号のそれぞれの下り信号をスケジューリングするＤＣＩとスケジュールされた下り信号との間の時間間隔に従って、前記少なくとも２つの下り信号のそれぞれの下り信号の受信モードを決定するステップは、
前記端末デバイスが、前記少なくとも２つの下り信号のそれぞれをスケジューリングするＤＣＩとスケジュールされた下り信号との間の時間間隔が、事前に設定された第１の時間閾値よりも大きいかどうかに応じて、前記少なくとも２つの下り信号のそれぞれの受信モードを決定するステップを含む
ことを特徴とする請求項３に記載の方法。
【請求項５】
前記伝送情報には、前記少なくとも２つの下り信号の伝送構成が含まれ、
前記端末デバイスが前記少なくとも２つの下り信号の伝送情報に従って、前記少なくとも２つの下り信号の受信モードを決定するステップは、
前記端末デバイスが、前記少なくとも２つの下り信号のＴＣＩ状態にＱＣＬタイプＤの参照信号が含まれているかどうかに応じて、前記少なくとも２つの下り信号の受信モードを決定するステップと、
前記端末デバイスが、前記少なくとも２つの下り信号のＴＣＩ状態に含まれる参照信号のタイプに従って、前記少なくとも２つの下り信号の受信モードを決定するステップと、
前記端末デバイスが、前記少なくとも２つの下り信号のＴＣＩ状態に含まれるＱＣＬタイプＤの参照信号のタイプに従って、前記少なくとも２つの下り信号の受信モードを決定するステップと、
前記端末デバイスが、前記少なくとも２つの下り信号のマッピングタイプに従って、前記少なくとも２つの下り信号の受信モードを決定するステップと、
前記端末デバイスが、前記少なくとも２つの下り信号の持続時間長に従って、前記少なくとも２つの下り信号の受信モードを決定するステップと、
前記端末デバイスが、前記少なくとも２つの下り信号がシステム情報を運ぶかどうかに応じて、前記少なくとも２つの下り信号の受信モードを決定するステップと、
前記端末デバイスが、前記少なくとも２つの下り信号が上位レイヤシグナリングを運ぶかどうかに従って、前記少なくとも２つの下り信号の受信モードを決定するステップとのうちの少なくとも一つのステップを含む
ことを特徴とする請求項１に記載の方法。
【請求項６】
前記端末デバイスが前記少なくとも２つの下り信号の伝送情報に従って、前記少なくとも２つの下り信号の受信モードを決定するステップは、
前記端末デバイスが、前記少なくとも２つの下り信号の伝送情報に従って、前記少なくとも２つの下り信号のうちの少なくとも１つの下り信号を受信するかどうかを決定するステップと、
前記端末デバイスが、前記少なくとも２つの下り信号の伝送情報に従って、前記少なくとも２つの下り信号のうちの少なくとも１つの下り信号を受信するために使用される伝送構成を決定するステップとのうちの少なくとも一つのステップを含む
ことを特徴とする請求項１に記載の方法。
【請求項７】
前記端末デバイスが前記少なくとも２つの下り信号の伝送情報に従って、前記少なくとも２つの下り信号の受信モードを決定するステップは、
前記端末デバイスが前記少なくとも２つの下り信号の伝送情報に従って、前記少なくとも２つの下り信号のそれぞれの下り信号の優先度を決定するステップと、
前記端末デバイスが前記それぞれの下り信号の優先度に従って、前記少なくとも２つの下り信号の受信モードを決定するステップとを含み、
前記それぞれの下り信号の優先度に従って、前記少なくとも２つの下り信号の受信モードを決定するステップは、
前記端末デバイスが優先度の高い下り信号を受信し、優先度の低い下り信号を受信しないと決定するステップと、
前記端末デバイスが優先度の高い下り信号の伝送構成を採用して前記少なくとも２つの下り信号を受信すると決定するステップとのうちの少なくとも一つのステップを含む
ことを特徴とする請求項１から６のいずれか一項に記載の方法。
【請求項８】
前記端末デバイスが前記少なくとも２つの下り信号の伝送情報に従って、前記少なくとも２つの下り信号の受信モードを決定するステップは、
前記端末デバイスが、前記端末デバイスのアンテナアレイの数及び前記少なくとも２つの下り信号の伝送情報に従って、前記少なくとも２つの下り信号の受信モードを決定するステップを含む
ことを特徴とする請求項１から６のいずれか一項に記載の方法。
【請求項９】
前記端末デバイスが、前記端末デバイスのアンテナアレイの数及び前記少なくとも２つの下り信号の伝送情報に従って、前記少なくとも２つの下り信号の受信モードを決定するステップは、
前記アンテナアレイの数Ｋが前記少なくとも２つの下り信号の数Ｎより小さい場合、前記端末デバイスが前記Ｎ個の下り信号の伝送情報に従って、前記Ｎ個の下り信号から最も優先度の高いＫ個の下り信号を選択し、前記Ｋ個の下り信号の伝送構成を使用してそれぞれ前記Ｋ個の下り信号を受信すると決定するステップ、又は
前記アンテナアレイの数Ｋが前記少なくとも２つの下り信号の数Ｎ以上である場合、前記端末デバイスが前記Ｎ個の下り信号の伝送構成を採用してそれぞれ前記Ｎ個の下り信号を受信すると決定するステップを含む
ことを特徴とする請求項８に記載の方法。
【請求項１０】
前記伝送構成は、
対応する下り信号を受信するために使用される受信ビームと、
対応する下り信号を受信するために使用される準コロケーション（ＱＣＬ）タイプＤの参照信号と、
対応する下り信号を受信するために使用されるＴＣＩ状態と、
対応する下り信号を受信するために想定されるマッピングタイプと、
対応する下り信号を受信するために使用される時間ウィンドウとのうちの少なくとも一つを含む
ことを特徴とする請求項１から９のいずれか一項に記載の方法。
【請求項１１】
前記下り信号は、物理下り共有チャネル（ＰＤＳＣＨ）、物理下り制御チャネル（ＰＤＣＣＨ）、又はチャネル状態情報参照信号（ＣＳＩ−ＲＳ）を含む
ことを特徴とする請求項１から９のいずれか一項に記載の方法。
【請求項１２】
前記少なくとも２つの下り信号のそれぞれが、独立した下り制御情報（ＤＣＩ）によってスケジュールされる
ことを特徴とする請求項１から９のいずれか一項に記載の方法。
【請求項１３】
前記第１の検出ウィンドウは、
一つのスロット、又は
少なくとも２つのスロット、又は
一つの直交周波数分割多重（ＯＦＤＭ）シンボル、又は
少なくとも２つのＯＦＤＭシンボルを含む
ことを特徴とする請求項１から９のいずれか一項に記載の方法。
【請求項１４】
第１の検出ウィンドウ内で少なくとも２つの下り信号を受信する必要があると決定するように構成される受信スケジューリング決定ユニットと、
前記少なくとも２つの下り信号の伝送情報に従って、前記少なくとも２つの下り信号の受信モードを決定するように構成される受信モード決定ユニットと、
前記少なくとも２つの下り信号の受信モードに従って、前記第１の検出ウィンドウ内で前記少なくとも２つの下り信号のうちの少なくとも１つの下り信号を受信するように構成される下り信号受信ユニットとを備え、
前記伝送情報は、前記少なくとも２つの下り信号のスケジューリング情報、伝送構成、又は運ばれる情報のうちの少なくとも１つを含む
ことを特徴とする端末デバイス。
【請求項１５】
請求項１から１３のいずれか一項に記載の方法をコンピュータに実行させるコンピュータプログラムを記憶する、ことを特徴とするコンピュータ読み取り可能な記憶媒体。
【国際調査報告】
2021531672.tif 000008
2021531672.tif 000009
2021531672.tif 000010
2021531672.tif 000011